(57)【要約】【課題】  画情報編集装置に取り込んだ画情報を編集加工することにより得られる編集後の画情報を、単にプリントアウトして利用するのに限らず、再利用することができ、また、画情報編集装置において得られた編集後の画情報を、簡単な操作で編集前の画情報を出力した装置に保存することができる、画情報編集システム、画情報編集装置、及び、通信装置を提供すること。【解決手段】  被写体を撮像素子によって撮影する撮影手段と、画情報を保存する画情報保存手段と、画情報を転送するための１以上の通信Ｉ／Ｆ手段と、画情報を送信する画情報送信手段と、画情報を受信する画情報受信手段と、画情報を編集する画情報編集手段と、編集された画情報を送信する編集画情報送信手段と、編集された画情報を受信する編集画情報受信手段とを備えたことを特徴とする。【選択図】    図１
2005159788.tif 000002
【特許請求の範囲】
【請求項１】
被写体を撮像素子によって撮影する撮影手段と、画情報を保存する画情報保存手段と、画情報を転送するための１以上の通信Ｉ／Ｆ手段と、画情報を送信する画情報送信手段と、画情報を受信する画情報受信手段と、画情報を編集する画情報編集手段と、編集された画情報を送信する編集画情報送信手段と、編集された画情報を受信する編集画情報受信手段とを備え、
前記撮影手段は、被写体を撮影することにより画情報を出力し、
前記画情報保存手段は、前記撮影手段が出力した画情報を画情報記憶媒体に保存し、
前記画情報送信手段は、前記撮影手段が出力した画情報または前記画情報保存手段が保存した画情報を前記通信Ｉ／Ｆのうちの１つを介して送信し、
前記画情報受信手段は、前記画情報送信手段が送信した画情報を前記通信Ｉ／Ｆのうちの１つを介して受信し、
前記画情報編集手段は、前記画情報受信手段が受信した画情報を編集し、
前記編集画情報送信手段は、前記編集画情報編集手段が編集した画情報を前記通信Ｉ／Ｆ手段を介して送信し、
前記編集画情報受信手段は、前記編集画情報送信手段が送信した画情報を前記通信Ｉ／Ｆ手段のうちの１つを介して受信することを特徴とする画情報編集システム。
【請求項２】
前記複数の通信Ｉ／Ｆ手段のうちの、編集前の画情報を受信するのにどの通信Ｉ／Ｆ手段を使用したのかを記憶しておき、編集後の画情報を送信するのに使用する通信Ｉ／Ｆ手段として、前記記憶していた通信Ｉ／Ｆ手段を選択する通信Ｉ／Ｆ選択手段を備えたことを特徴とする請求項１に記載の画情報編集システム。
【請求項３】
画情報を記録する記録手段を備えたことを特徴とする請求項１または２のいずれかに記載の画情報編集システム。
【請求項４】
画情報を表示する表示手段を備えたことを特徴とする請求項１、２または３のいずれかに記載の画情報編集システム。
【請求項５】
前記画情報編集手段が編集した画情報を編集画情報記憶媒体に保存する編集画情報保存手段を備えたことを特徴とする請求項１、２、３または４のいずれかに記載の画情報編集システム。
【請求項６】
前記通信Ｉ／Ｆ手段、前記画情報受信手段、前記画情報編集手段、及び、前記編集画情報送信手段を少なくとも備えたことを特徴とする画情報編集装置。
【請求項７】
前記通信Ｉ／Ｆ手段、前記画情報編集手段、及び、前記編集画情報送信手段と、被写体を撮像素子によって撮影することにより画情報を出力する第２の撮影手段とを備えたことを備えたことを特徴とする画情報編集装置。
【請求項８】
前記通信Ｉ／Ｆ手段、前記画情報受信手段、前記画情報編集手段、前記編集画情報送信手段、及び、前記第２の撮影手段を備えたことを特徴とする画情報編集装置。
【請求項９】
前記通信Ｉ／Ｆ手段を複数備えると共に、前記通信Ｉ／Ｆ選択手段を備えたことを特徴とする請求項６、７または８のいずれかに記載の画情報編集装置。
【請求項１０】
前記記録手段を備えたことを特徴とする、請求項６、７、８または９のいずれかに記載の画情報編集装置。
【請求項１１】
前記撮影手段、前記画情報保存手段、前記通信Ｉ／Ｆ手段、前記画情報送信手段、及び、前記編集画情報受信手段とを備えたことを通信装置。
【発明の詳細な説明】
【技術分野】
【０００１】
本発明は、画情報編集装置、画情報記録装置、カメラ装置、ビデオ装置、ビデオカメラ装置、通信装置、電話、ＩＰ電話、ＩＰテレビ電話、携帯電話、ＰＨＳ等を構成として含む画情報編集システム、及び、そのシステムを構成する画情報編集装置、通信装置に関する。
【背景技術】
【０００２】
従来の画情報編集装置、例えば、デジタルカメラやカメラ付き携帯電話で撮影されたデジタルの画情報をプリントアウトするプリント端末装置、いわゆるキオスク端末と呼ばれている印刷装置、カメラを搭載したプリント端末装置、いわゆるプリクラと呼ばれる印刷装置、等においては、カメラ（デジタルカメラやカメラ付き携帯電話）で撮影されたデジタル画情報を編集加工して得られた編集後の画情報をプリントアウトすることが出来た。
【０００３】
関連する従来技術としては、特許文献１及び２を挙げることができる。
【０００４】
【特許文献１】特開２００３−１３１８３０号公報
【特許文献２】特開２００３−２０３０３６号公報
【発明の開示】
【発明が解決しようとする課題】
【０００５】
しかし、従来においては、画情報編集装置の使用が終了すると、編集後の画情報（編集画情報）は消去され、編集画情報を、撮影元のデジタルカメラやカメラ付き携帯電話に戻して表示するなどの再利用ができなかった。具体的には、利用料金を支払った上で画情報編集装置に取り込んだ画情報を、時間や手間をかけて編集加工することにより得られたデジタルの編集画情報は、利用料金を支払って画情報編集装置を使用して編集加工した利用者にとっては、自分の携帯電話の液晶画面に表示したりするなどして再利用したいものであるにも関わらず、従来はそのような再利用ができないという問題点があった。
【０００６】
本発明は係る事情に鑑みてなされたものであり、画情報編集装置に取り込んだ画情報を編集加工することにより得られる編集後の画情報を、単にプリントアウトして利用するのに限らず、携帯電話、デジタルカメラ、ＩＣカード等に保存する等して後に再利用することができ、また、画情報編集装置において得られた編集後の画情報を、簡単な操作で編集前の画情報を出力した装置に保存することができる、画情報編集システム、画情報編集装置、及び、通信装置を提供することを目的とする。
【課題を解決するための手段】
【０００７】
請求項１に記載の画情報編集システムは、被写体を撮像素子によって撮影する撮影手段と、画情報を保存する画情報保存手段と、画情報を転送するための１以上の通信Ｉ／Ｆ手段と、画情報を送信する画情報送信手段と、画情報を受信する画情報受信手段と、画情報を編集する画情報編集手段と、編集された画情報を送信する編集画情報送信手段と、編集された画情報を受信する編集画情報受信手段とを備え、前記撮影手段は、被写体を撮影することにより画情報を出力し、前記画情報保存手段は、前記撮影手段が出力した画情報を画情報記憶媒体に保存し、前記画情報送信手段は、前記撮影手段が出力した画情報または前記画情報保存手段が保存した画情報を前記通信Ｉ／Ｆのうちの１つを介して送信し、前記画情報受信手段は、前記画情報送信手段が送信した画情報を前記通信Ｉ／Ｆのうちの１つを介して受信し、前記画情報編集手段は、前記画情報受信手段が受信した画情報を編集し、前記編集画情報送信手段は、前記編集画情報編集手段が編集した画情報を前記通信Ｉ／Ｆ手段を介して送信し、前記編集画情報受信手段は、前記編集画情報送信手段が送信した画情報を前記通信Ｉ／Ｆ手段のうちの１つを介して受信することを特徴とする。つまり、送信した画情報を編集した後の画情報を受信できる。または、受信した画情報を編集して得られた画情報を送信できる。
【０００８】
請求項２に記載の画情報編集システムは、請求項１に記載の画情報編集システムにおいて、前記複数の通信Ｉ／Ｆ手段のうちの、編集前の画情報を受信するのにどの通信Ｉ／Ｆ手段を使用したのかを記憶しておき、編集後の画情報を送信するのに使用する通信Ｉ／Ｆ手段として、前記記憶していた通信Ｉ／Ｆ手段を選択する通信Ｉ／Ｆ選択手段を備えたことを特徴とする。つまり、編集対象の画情報の受信に使用した通信Ｉ／Ｆ手段が編集後の画情報を送信する通信Ｉ／Ｆ手段として選択され使用される。
【０００９】
請求項３に記載の画情報編集システムは、請求項１または２のいずれかに記載の画情報編集システムにおいて、画情報を記録する記録手段を備えたことを特徴とする。つまり、編集後の画情報などを記録紙などに記録できる。
【００１０】
請求項４に記載の画情報編集システムは、請求項１、２または３のいずれかに記載の画情報編集システムにおいて、画情報を表示する表示手段を備えたことを特徴とする。つまり、画情報表示して確認できる。
【００１１】
請求項５に記載の画情報編集システムは、請求項１、２、３または４のいずれかに記載の画情報編集システムにおいて、前記画情報編集手段が編集した画情報を記憶媒体に保存する編集画情報保存手段を備えたことを特徴とする。つまり、編集後の画情報を保存して後の利用のために残すことができる。
【００１２】
請求項６に記載の画情報編集装置は、前記通信Ｉ／Ｆ手段、前記画情報受信手段、前記画情報編集手段、及び、前記編集画情報送信手段を少なくとも備えたことを特徴とする。つまり、受信した画情報を編集して得られた画情報を送信できる。
【００１３】
請求項７に記載の画情報編集装置は、前記通信Ｉ／Ｆ手段、前記画情報編集手段、及び、前記編集画情報送信手段と、被写体を撮像素子によって撮影することにより画情報を出力する第２の撮影手段とを備えたことを備えたことを特徴とする。つまり、画情報を編集して得られた画情報を送信できるばかりでなく、通信装置からの送信を受けなくても、画情報編集装置自身が編集対象の画情報を得ることができる。
【００１４】
請求項８に記載の画情報編集装置は、前記通信Ｉ／Ｆ手段、前記画情報受信手段、前記画情報編集手段、前記編集画情報送信手段、及び、前記第２の撮影手段を備えたことを特徴とする。つまり、受信した画情報を編集して得られた画情報を送信できるばかりでなく、通信装置からの送信を受けなくても、画情報編集装置自身が編集対象の画情報を得ることができる。
【００１５】
請求項９に記載の画情報編集装置は、請求項６、７または８のいずれかに記載の画情報編集装置において、前記通信Ｉ／Ｆ手段を複数備えると共に、前記通信Ｉ／Ｆ選択手段を備えたことを特徴とする。つまり、編集対象の画情報の受信に使用した通信Ｉ／Ｆ手段が編集後の画情報を送信する通信Ｉ／Ｆ手段として選択され使用される。
【００１６】
請求項１０に記載の画情報編集装置は、請求項６、７、８または９のいずれかに記載の画情報編集装置において、前記記録手段を備えたことを特徴とする。つまり、編集後の画情報などを記録紙などに記録できる。
【００１７】
請求項１１に記載の通信装置は、前記撮影手段、前記画情報保存手段、前記通信Ｉ／Ｆ手段、前記画情報送信手段、及び、前記編集画情報受信手段とを備えたことを特徴とする。つまり、自装置で撮影した画情報を送信して編集後の画情報を受信・保存できる。
【発明の効果】
【００１８】
請求項１に係る発明によれば、編集後の画情報を、編集前の画情報を保持していた装置等に保存することが可能となるため、編集後の画情報を再利用することが可能となる効果が得られる。
【００１９】
請求項２に係る発明によれば、編集後の画情報を送信する場合に、編集前の画情報を受信するのに使用した通信Ｉ／Ｆを選択しているため、簡単な操作で編集後の画情報を保存することが可能となる効果が得られる。
【００２０】
請求項３に係る発明によれば、画情報を記録する記録手段を備えているため、編集前または編集後の画情報を記録紙などに記録して出力することが可能となる効果が得られる。
【００２１】
請求項４に係る発明によれば、画情報を表示する表示手段を備えているため、編集前、編集中、または、編集後の画情報を表示して操作者に確認させることが可能となる効果が得られる。
【００２２】
請求項５に係る発明によれば、編集後の画情報を保存して残すことができるため、後の有効利用を図ることが可能となる効果が得られる。
【００２３】
請求項６に係る発明によれば、他の通信装置から受信した画情報を編集して、編集後の画情報を他の通信装置に送信することが可能となる効果が得られる。
【００２４】
請求項７に係る発明によれば、自装置で撮影した画情報を編集して得られた、編集後の画情報を他の通信装置に送信して保存させて、編集後が情報の後の再利用を図ることが可能となる効果が得られる。
【００２５】
請求項８に係る発明によれば、自装置で撮影した画情報、または、他の通信装置から受信した画情報を編集して得られた、編集後の画情報を他の通信装置に送信して保存させて、編集後が情報の後の再利用を図ることが可能となる効果が得られる。
【００２６】
請求項９に係る発明によれば、編集後の画情報を送信する場合に、編集前の画情報を受信するのに使用した通信Ｉ／Ｆを選択しているため、簡単な操作で編集後の画情報を保存することが可能となる効果が得られる。
【００２７】
請求項１０に係る発明によれば、画情報を記録する記録手段を備えているため、編集前または編集後の画情報を記録紙などに記録して出力することが可能となる効果が得られる。
【００２８】
請求項１１に係る発明によれば、撮影した画情報を送信して、編集後の画情報を受信することができるため、編集後の画情報の後の利用を図ることが可能となる効果が得られる。
【発明を実施するための最良の形態】
【００２９】
以下、添付図面を参照しながら、本発明を実施するための最良の形態について説明する
【００３０】
先ず、図１及び図２に、本発明の一実施例に係る画情報編集システム１のブロック構成について示す。なお、この画情報編集システム１は１つの装置として構成されてもよいし、あるいは、複数の装置から構成されるシステムであってもよいものである。また、画情報編集システム１を構成する各手段は、データ伝送路４０を介してデータのやりとりを行う。
【００３１】
撮影手段２は、被写体を撮像素子等によって撮影することにより画情報を発生させる。画情報保存手段３は、撮影手段２が発生した画情報を、ＲＡＭなどのメモリにより構成される記憶媒体４に記憶させる。もっとも、画情報保存手段３自身が画情報を記憶するようにしてもよい。なお、記憶媒体４は、画情報、その画情報を編集した後の画情報である編集画情報、各種設定情報等が記憶され、また、画情報編集システム１を構成する各種手段における各種情報処理のための作業用の記憶領域として使用される各種記憶媒体を代表的に示したものであり、記憶媒体４は、各記憶内容別に個別に設けてもよいものであるのはいうまでもない。
【００３２】
画情報送信手段５は、画情報保存手段３が画情報記録媒体４に保存した画情報または撮影手段２が発生した画情報を通信Ｉ／Ｆ手段６を使用して送信する。
【００３３】
また、バーコード読取手段７は、所定の場所に貼付されているバーコードＢＣを撮影手段２で撮影してバーコード画情報を取得し、その画情報に基づいてバーコードデータを抽出する。バーコードＢＣは、画情報を送信する先の通信アドレスのデータをバーコード化したものであり、バーコード読取手段７はバーコードデータを通信アドレスに変換する。その通信アドレスは、画情報送信手段５により参照される。
【００３４】
画情報受信手段９は、画情報送信手段５が送信した画情報を１以上の通信Ｉ／Ｆ８＿１ないし８＿ｎにより構成される通信Ｉ／Ｆ群８のうちのいずれかを使用して受信する。
【００３５】
画情報編集手段１０は、画情報受信手段９が受信した画情報を編集して、編集後の画情報を編集画情報として出力する。編集画情報保存手段１１は、画情報編集手段１０から出力される編集画情報を記憶媒体４に記憶させる。もっとも、編集画情報保存手段１１自身が編集画情報を記憶するようにしてもよい。
【００３６】
記録手段１２は、画情報編集手段１０が編集した編集画情報または編集画情報保存手段１１が保存している編集画情報を記録紙などの記録媒体等に記録出力する。編集画情報送信手段１３は、画情報編集手段１０が編集した編集画情報または編集画情報保存手段１１が保存した編集画情報を、通信Ｉ／Ｆ手段群８を構成するいずれかの通信Ｉ／Ｆ手段を使用して送信する。
【００３７】
編集画情報受信手段１４は、編集画情報送信手段１３が送信した編集画情報を、通信Ｉ／Ｆ手段６を使用して受信する。
【００３８】
通信Ｉ／Ｆ選択手段１５は、編集前の画情報を受信するのに通信Ｉ／Ｆ手段群８を構成する通信Ｉ／Ｆ手段のうちのどれを使用したかを、各通信Ｉ／Ｆに対応する識別情報を記憶媒体４に記憶しておき、編集画情報を送信するのに使用する通信Ｉ／Ｆ手段として、その記憶媒体４に記憶していた通信Ｉ／Ｆ手段を選択する。
【００３９】
通信経路選択手段１６は、編集前の画情報を受信するのに使用した通信経路を記憶媒体４に記憶しておき、編集後の編集画情報を送信するのに使用する通信経路として、記憶していた通信経路を選択する。
【００４０】
通信方法選択手段１７は、編集前の画情報を受信するのに使用した通信方法、すなわち使用した通信プロトコル、通信パラメータ、通信アドレス等を記憶媒体４に記憶させておき、編集後の画情報を送信するのに使用する通信方法として、記憶していた通信方法を選択する。
【００４１】
通信プロトコル選択手段１８は、編集前の画情報を受信するのに使用した通信プロトコルを記憶媒体４に記憶しておき、編集後の編集画情報を送信するのに使用する通信プロトコルとして、記憶していた通信プロトコルを選択する。
【００４２】
通信パラメータ選択手段１９は、編集前の画情報を受信するのに使用した通信パラメータを記憶媒体４に記憶しておき、編集後の画情報を送信するのに使用する通信パラメータとして、記憶していた通信パラメータを選択する。
【００４３】
通信アドレス選択手段２０は、編集前の画情報を受信するのに使用した送信側の通信アドレスを記憶媒体４に記憶しておき、編集後の画情報を送信するのに使用する受信側の通信アドレスとして、記憶していた通信アドレスを選択する。
【００４４】
画情報仕様選択手段２１は、編集前の画情報の仕様、すなわち画情報のフォーマット、表示画像サイズ、解像度等を記憶媒体４に記憶しておき、編集後の画情報の仕様として使用するように、記憶していた画情報の仕様を選択する。
【００４５】
画情報フォーマット選択手段２２は、編集前の画情報のフォーマットの種類を記憶媒体４に記憶しておき、編集後の画情報のフォーマットとして使用するように、記憶していた画像フォーマットの種類を選択する。
【００４６】
表示画像サイズ選択手段２３は、編集前の画情報を表示する表示画像サイズを記憶媒体４に記憶しておき、編集後の編集画情報の表示画像サイズとして使用するように、記憶していた表示画像サイズを選択する。
【００４７】
画像解像度選択手段２４は、編集前の画情報の画像解像度を記憶媒体４に記憶しておき、編集後の編集画情報の画像解像度として使用するように、記憶していた画像解像度を選択する。
【００４８】
なお、選択手段１５ないし２４において、記憶媒体４に記憶する代わりに、おのおのの選択手段自身に記憶してもよい。また、選択手段１５ないし２４においては、装置が自動的に選択してもよいし、装置が選択対象を選択しておき、その後ユーザにそれでいいかどうかの確認をとる方法も考えられる。
【００４９】
表示手段２５は、編集前あるいは編集後の画情報を表示部装置に表示する。
【００５０】
このように、編集後の画情報を、編集前の画情報を送信した通信装置に戻すことにより、画情報編集装置で編集した画情報を通信端末で使用することが出来る。
【００５１】
また、編集前の画情報を受信した時の通信に関する情報を記憶しておくことにより、編集後の画情報を送信する場合に、前回の通信に関する情報を使用することが出来るので、ユーザが通信関係の設定をする手間を省くことが出来る。
【００５２】
また、編集前の画情報を受信した時の画情報の仕様を記憶しておくことにより、編集後の画情報を送信する場合に、前回の画情報の仕様を使用することが出来るので、ユーザが画情報の仕様を設定をする手間を省くことが出来る。
【００５３】
ユーザ情報記憶手段２７は、画情報編集手段１０を利用する装置（手段）またはユーザを特定して、装置毎の利用状況を管理データとして記憶媒体４または自手段に記憶しておき、その管理データに基づいて制御を行う。従って、管理データに基づいて装置毎に最適な制御を行うことが出来る。
【００５４】
利用料金プリペイド手段２９は、画情報編集手段１０や記録手段１２等を利用するのに必要な利用料金をあらかじめ支払って（プリペイド）おき、その支払った料金の代替データ（プリペイドデータ）を記憶媒体４または自手段に記憶しておくものであり、画情報編集手段１０や記録手段１２等を利用した場合にその利用料金分に相当する代替データが差し引かれる。もちろん、利用料金の対象として画情報編集手段１０や記録手段１２等以外の他の手段を対象としてもよい。
【００５５】
利用料金清算手段２９は、利用料金の対象とされた手段（画情報編集手段１０や記録手段１２等）が利用された場合に、その利用代金に相当する代替データを、前記利用料金プリペイド手段２８により記憶されている代替データから差し引くものである。従って、画情報編集システム１を利用する場合に、利用料金を支払うための現金を用意しておく必要がない。
【００５６】
第２の撮影手段３０は、被写体を撮像素子等によって撮影することにより画情報を発生させる。その第２の撮影手段３３により得た画情報を、画情報編集手段１０で編集することもできる。画情報変換手段３１は、画情報のファイル形式の変換を行う。
【００５７】
図３に、本発明の一実施例に係る画情報編集システム１のブロック構成について示す。同図において、通信装置５０（５０＿１、＿２、＿３）は、図１及び図２に示した画情報編集システム１に基づいて構成されたものであり、また、画情報編集装置６０も、図１及び図２に示した画情報編集システム１に基づいて構成されたものである。
【００５８】
具体的には、通信装置５０（５０＿１、＿２、＿３）は、少なくとも通信Ｉ／Ｆ手段６と画情報保存手段３と画情報送信手段５と編集画情報受信手段１４とを備えた通信装置であり、主に画情報を送信するとともに、編集された画情報を受信する装置である。通信装置５０＿１は、画情報編集装置６０の、通信Ｉ／Ｆ手段８＿１に接続され、通信装置５０＿２は通信Ｉ／Ｆ手段８＿２に接続され、通信装置５０＿３は通信Ｉ／Ｆ手段８＿３に接続される。また、通信Ｉ／Ｆ手段８＿ｎには、特殊な通信装置として、外部メモリ手段５０＿ｎが接続されている。
【００５９】
通信装置５０は、具体的には、通信機能付きの画情報保存装置（ビデオカメラ装置、コンピュータ装置、動画装置等）、画情報を保存できる通信装置（電話機、ＩＰ電話機、ＩＰテレビ電話、携帯電話、ＰＨＳ、ＰＤＡ等）等である。なお、通信装置５０としては、これらに限定されるものではなく、他の公知技術に係る装置を適用できる。
【００６０】
また、通信装置５０は、撮影手段２を備えることもできる。撮影手段２を備えた通信装置５０としては、通信機能を備えたカメラ装置（デジタルカメラ、アナログカメラ、カメラ付き携帯電話、テレビ電話等）がある。なお、撮影手段２を備えた通信装置５０としては、これらに限定されるものではなく、他の公知技術に係る装置を適用できる。
【００６１】
さらに画情報編集手段１０、編集画情報送信手段１３を備えた通信装置５０も考えられ、通信装置５０が図１及び図２に示した画情報編集システム１を構成する各手段のうちのいずれを備えるかは任意である。
【００６２】
画情報編集装置６０は、少なくとも通信Ｉ／Ｆ手段群８、画情報受信手段９、画情報編集手段１０、編集画情報送信手段１３を備えた装置であり、主に受信した画情報を編集し、編集後の画像を送信元に送信する装置である。具体的には、画情報編集装置６０としては、コンピュータ装置、画情報印刷装置、カメラ付き画情報印刷装置、モバイル端末用印刷装置やいわゆるプリントクラブ装置等がある。
【００６３】
またさらに第２の撮影手段３０、記録手段１２、表示手段２５、表示部２６、編集画情報保存手段１１を備えた画情報編集装置６０も考えられ、画情報編集装置６０が図１及び図２に示した画情報編集システム１を構成する各手段のうちのいずれを備えるかは任意である。
【００６４】
外部メモリ手段５０＿ｎは、少なくとも通信Ｉ／Ｆ手段６、画情報保存手段３、画情報送信手段５、編集画情報受信手段１４を備えた、通信装置としてもとらえることのできるメモリ装置であり、主に画情報を送信するとともに、編集された画情報を受信する装置である。具体的には、外部メモリ手段５０＿ｎとしては、ビデオ装置、ＤＶＤ装置、ＣＤ装置、ＣＤＲ装置、ＤＶＲ装置、ハードディスク装置、ＩＣカード、メモリカード（フラッシュメモリ、ＳＲＡＭメモリ、ＤＲＡＭメモリ、メモリスティック、ＳＤメモリカード、マルチメディアカード、コンパクトフラッシュ、スマートメディア等）、ＲＦＩＤカード、マイクロドライブ等が挙げられるが、それらに限定されるものではない。
【００６５】
さらに編集画情報保存手段１１を備えた外部メモリ手段５０＿ｎも考えられる。また、画情報編集手段１０を備えた外部メモリ手段５０＿ｎも考えられる。外部メモリ手段５０＿ｎが図１及び図２に示した画情報編集システム１を構成する各手段のうちのいずれを備えるかは任意である。また外部メモリ手段５０＿ｎが通信装置５０である場合もあり、その逆に、通信装置５０が外部メモリ手段８０である場合もある。
【００６６】
通信ネットワーク７０はネットワークに接続された通信装置間で通信を行うための通信網であり、具体的には電気通信網であり、電話回線、インターネット、専用線、ＩＰ網、無線網等がある。なお、通信ネットワーク７０としては、これらに限定されるものではなく、他の公知技術に係る通信網を適用できる。
【００６７】
画情報編集装置６０の通信Ｉ／Ｆ手段群８を構成する通信Ｉ／Ｆ手段８＿１ないし８＿ｎとしては、具体的には、通信ケーブルを使用した有線通信Ｉ／Ｆ（通信装置５０側の仕様に応じた専用通信Ｉ／Ｆ、ＵＳＢ，セントロニクス、ＲＳ２３２Ｃ等の汎用Ｉ／Ｆ）、電波や赤外線を使用した無線通信Ｉ／Ｆやブルートゥースを使用した無線通信Ｉ／Ｆ、通信ネットワークを使用した通信ネットワークＩ／Ｆ等が考えられる。なお、通信Ｉ／Ｆ手段８＿１ないし８＿ｎとしては、これらに限定されるものではなく、他の公知技術に係るインターフェースを適用できる。
【００６８】
外部メモリ手段５０＿ｎと画情報編集装置６０間の通信Ｉ／Ｆ手段８＿ｎは、接続コネクタによる外部メモリＩ／Ｆ（外部メモリの種類によって複数ある）、通信ケーブルを使用した有線通信Ｉ／Ｆ（ＵＳＢ，セントロ、ＲＳ２３２Ｃ等の汎用Ｉ／Ｆや専用Ｉ／Ｆ）、電波や赤外線を使用したＩ／Ｆやブルートゥースを使用した無線通信Ｉ／Ｆが考えられる。
【００６９】
また、通信Ｉ／Ｆ手段群８を構成する各通信Ｉ／Ｆ手段において使用される通信プロトコルは、有線通信Ｉ／Ｆでは通信装置５０の仕様に応じた専用プロトコルが使用されるが、ＨＴＴＰやＦＴＰの汎用プロトコルを使用してもよい。通信ネットワークＩ／ＦではＥメールのＳＭＴＰ，ＰＯＰ３やＦＴＰ、ＨＴＴＰ、ＳＩＰ、Ｈ．３２３、ＭＥＧＡＣＯ等が使用される。なお、通信プロトコルとしては、これらに限定されるものではなく、他の公知技術に係る通信プロトコルを適用できる。
【００７０】
この時、画情報編集装置６０の通信アドレスを通信装置が５０取得する方法として、バーコードを使用した方法がある。
【００７１】
すなわち、あらかじめ画情報編集装置１の通信アドレスをバーコード化したバーコード画像（図１のバーコードＢＣ）を画情報編集装置６０の本体またはそれに近い場所に等に貼り付けておき、通信装置５０は自装置の撮影手段２によってそのバーコード画像を撮影することにより、バーコード画像を自装置の記憶媒体４に取り込み、そのバーコード画像を解析してバーコードデータを抽出し、そのバーコードデータを変換して画情報編集装置６０の通信アドレスを取得するものである。
【００７２】
無線通信Ｉ／Ｆでは専用の通信プロトコルが使用されてもよいし、ブルートゥース、赤外線Ｉ／Ｆ、無線ＬＡＮ、電波Ｉ／Ｆではそれぞれ標準化された通信プロトコルを使用してもよい。
【００７３】
通信装置５０と画情報編集装置６０との間でやりとりされる画情報の仕様としては、具体的には、画像のファイルフォーマット（ＪＰＥＧ、ＪＢＩＧ、ＭＰＥＧ、ＧＩＦ、ＴＩＦＦ、ＭＬ言語系（ＸＭＬ，ＨＴＭＬ，ＳＧＭＬ，ＸＨＴＭＬ，ＣＨＴＭＬ，ＨＤＭＬ，ＤＨＴＭＬ等）、生画像等）、画像の解像度、画像の表示サイズ、カラーの階調度、圧縮方法、圧縮率、符号化方法等がある。なお、画情報の仕様としては、これらに限定されるものではなく、他の公知技術に係る仕様を適用できる。
【００７４】
次に図３に示した画情報編集システム１の動作について図４及び図５に示すフローチャートを参照しながら説明する。
【００７５】
通信装置５０は自装置の撮影手段２によって被写体を撮影することで、画情報編集装置６０に送信すべき画情報を取得する（処理Ｓ１０１）。また、撮影手段２を通信装置５０が備えない場合には、処理Ｓ１０１において、他の装置から画情報を受信するか、または、自装置で画情報を作成することで、画情報編集装置６０に送信すべき画情報を取得する。そして、取得した画情報を自装置の記憶媒体４に保存する（処理Ｓ１０２）。
【００７６】
また、通信装置５０は、予め利用料金プリペイド手段２８にプリペイドデータ（代替データ）を蓄積しておく（処理Ｓ１０３）。
【００７７】
そして、通信装置５０は、通信Ｉ／Ｆ手段６、画情報送信手段５によって、自装置内の画情報保存手段３により保存されている画情報または自装置の記憶媒体４に記憶されている画情報を画情報編集装置６０に送信する（処理Ｓ１０４）。
【００７８】
判断２０１のＮｏのループにより、通信装置５０からの画情報の受信を監視している画情報編集装置６０においては、通信装置５０における処理Ｓ１０４に対応して、判断２０１がＹｅｓとなり、画情報編集装置６０は、通信装置５０が送信した画情報を、通信Ｉ／Ｆ手段群８を構成するいずれかの通信Ｉ／Ｆ手段を介して画情報受信手段９によって受信した画情報を、自装置の記憶媒体４に一時的にあるいは永久的に保存する。
【００７９】
その時、ユーザ情報記憶手段２７は、通信装置５０あるいはユーザの識別情報（通信アドレス、ＩＰアドレス、端末識別情報、電話番号、Ｅｍａｉｌアドレス、ＵＲＩ，ＵＲＬ、製造番号、暗証番号、ユーザＩＤ等）を記憶媒体４に記憶し（処理Ｓ２０３）、また、画情報編集装置６０の利用状況（利用回数、利用した機能、利用時間等）を記憶媒体４に記憶する（２回目以降はデータを更新する）（処理Ｓ２０４）。
【００８０】
また、この時、画情報変換手段３１は、受信した画情報のファイル形式を、画情報編集装置６０が編集するのに使用するファイル形式に変換する（処理Ｓ２０５）。
【００８１】
次に画情報編集装置６０は記憶媒体４に保存した画情報を、画情報編集手段１０によって編集する（処理Ｓ２０６）。画情報編集手段１０は、保存されている画情報を記憶媒体４から読み出し、編集作業を行う。その後、この記憶媒体４上で各種の画情報編集作業を行い、変更された画情報は次々と記憶媒体４上で更新される。
【００８２】
画情報編集手段１０における画情報の編集は具体的には、画情報と予め記憶媒体４に記憶しておくことで用意してあるフレーム画像とをミックスするフレーム機能、画情報に落書きを行う落書き機能、画情報にスタンプ画像（記憶媒体４に予め記憶されている）を追加するスタンプ機能、画情報を縮小フレームに分割する分割機能、その他の画像編集機能がある。なお、画情報の編集機能としては、これらに限定されるものではなく、他の公知技術に係る編集機能を適用できる。
【００８３】
なお、画情報の編集時間、すなわちユーザが編集操作できる時間は所定の時間内として制限されるように構成してもよい。具体的には、編集作業開始と同時に一定時間（例えば３分）の経過を監視して、その一定時間が経過すると編集作業を禁止する。その場合、編集禁止となるまでの残り時間を表示手段２５を介して表示部２６に表示したりするように構成してもよい。
【００８４】
画情報編集装置６０において、編集作業が終了すると、編集画情報保存手段１１は、記憶媒体４の作業領域上にある編集された画情報を、記憶媒体４上の保存用の記憶領域または編集画情報保存手段１０自身に保存する（処理Ｓ２０７）。
【００８５】
次に画情報編集装置６０は編集した画情報を記録手段１２によって紙、剥離紙等の記録媒体に記録あるいは印刷することにより出力を行う（処理Ｓ２０８）。この時、印刷対象となるのは記憶媒体４の作業用領域上の編集画情報でも、編集画情報保存手段１１が保存した編集画情報のどちらでもよい。
【００８６】
印刷が終了すると、記憶媒体４の作業用領域にある画情報を即座に消去してもよいし、ある所定の時間経過後に消去してもよい。あるいはユーザに対して消去するかどうかのメッセージを表示して、消去を肯定する入力があった場合に消去するようにしてもよい。
【００８７】
処理Ｓ２０８により記録された編集画情報は、記録されることにより最低限の利用がなされているため、記録しただけで、編集画情報を消去する場合には（判断Ｓ２０９のＹｅｓ）、処理Ｓ２１１に移行する。
【００８８】
編集画情報を消去しない場合には（判断Ｓ２０９のＮｏ）、画情報編集装置６０の通信Ｉ／Ｆ選択手段１５は、編集した画情報を元の通信装置５０に送信するために、あらかじめ記憶媒体４に記憶していた、編集前の画情報を受信する時に使用した通信Ｉ／Ｆ手段と、編集画情報送信手段１３とを使用して、編集した画情報を送信する（処理Ｓ２１０）。
【００８９】
処理Ｓ２１０における編集画情報の送信に関して具体的に説明する。画情報編集装置６０が通信Ｉ／Ｆ手段群８を構成する通信Ｉ／Ｆ手段として、通信ケーブルＩ／Ｆ、無線通信Ｉ／Ｆ、外部メモリＩ／Ｆ、通信ネットワークＩ／Ｆの４つの通信Ｉ／Ｆ手段を備え、通信ケーブルＩ／Ｆに接続されている通信装置５０は通信プロトコルとして専用プロトコルを使用し、画情報のファイルフォーマットとしてＪＰＥＧを使用している場合を考える。
【００９０】
判断Ｓ２０１において、通信装置５０から画情報を受信した際に、通信Ｉ／Ｆ選択手段１５は、画情報の受信は通信ケーブルＩ／Ｆを介して行われたことを記憶媒体４に記憶しておく。また通信プロトコル選択手段１８は、画情報の受信に使用した通信プロトコルが専用プロトコルであることを記憶媒体４に記憶する。また画情報フォーマット選択手段２２は、受信した画情報のファイルフォーマットがＪＰＥＧであることを記憶媒体４に記憶する。
【００９１】
画情報編集手段１０によって画情報が編集され、編集画情報送信手段１３によって編集画情報が送信される時に、通信ケーブルＩ／Ｆと専用プロトコルとＪＰＥＧを自動的に選択して編集画情報を通信装置６０に対して送信する。その場合、画情報を編集する前に、ＪＰＥＧ形式の画情報を編集に適した画像フォーマット、例えば、ビットマップ形式に変換した上で編集を行い、編集後の画情報をＪＰＥＧ形式に変換して送信する。
【００９２】
この時、送信対象となるのは記憶媒体４の作業領域上の編集画情報でも編集画情報保存手段１１が保存した編集画情報のどちらでもよい。
【００９３】
また画情報編集装置６０の通信経路選択手段１６は、編集した画情報を元の通信装置５０に送信するために、あらかじめ記憶媒体４に記憶していた、編集前の画情報を受信する時に使用した通信経路と、編集画情報送信手段１３とを使用して、編集した画情報を送信する。
【００９４】
その場合、画情報編集装置６０の通信方法選択手段１７は、編集前の画情報を受信するのに使用した通信方法、すなわち使用した通信プロトコル、通信パラメータ、通信アドレス等をあらかじめ記憶媒体４に記憶させておき、その通信方法を使用して、編集後の編集画情報を送信する。
【００９５】
またその場合、画情報編集装置６０の画情報仕様選択手段２１は、編集前の画情報の仕様、すなわち画情報のフォーマット、表示画像サイズ、解像度、使用する色の種類、色の階調等を記憶媒体４に記憶させておき、その仕様を使用して、編集後の画情報を送信する。
【００９６】
通信Ｉ／Ｆ選択手段１５、通信経路選択手段１６、通信方法選択手段１７、画情報仕様選択手段２１においては、画情報編集装置６０が自動的に選択対象を選択して画情報を送信してもよいし、画情報編集装置６０が自動的に選択対象を選択しておいてから、その選択結果を表示手段２５を介して表示部２６などに表示して、その選択でいいかどうかを問い合わせるメッセージ等を表示して、ユーザに選択させる方法も考えられる。
【００９７】
さて、通信装置５０は、編集画情報受信手段１４によって、編集画情報の受信を監視していて（判断Ｓ１０５のＮｏのループ）、画情報編集装置６０における処理Ｓ２１０に対応して判断Ｓ１０５がＹｅｓとなると編集画情報を受信する。受信した編集画情報は通信装置５０の記憶媒体４に保存される。また、編集画情報受信手段１４は、編集画情報を受信する場合に、編集前に送信した元の画情報の所定のパラメータと編集後の編集画情報のパラメータあるいは、通信装置５０と画情報編集装置６０との所定のパラメータ（後述）を比較して（処理Ｓ１０６）、それが一致あるいは完全一致ではないがある条件（一部一致等）で一致した場合には（判断Ｓ１０７のＹｅｓ）、受信した編集画情報を記憶媒体４に記憶させる（処理Ｓ１０８）。一致しない場合には（判断Ｓ１０７のＮｏ）、受信した編集画情報を保存しないで、処理Ｓ１０９に移行する。
【００９８】
所定のパラメータとは具体的には、画情報ファイルの名称、識別情報、画情報の送信あるいは受信の日時、装置の名称、装置の通信アドレス、装置の電話番号、装置の識別情報等がある。
【００９９】
そのようなパラメータ比較処理（手段）を、編集前の画情報を編集後の画情報に置き換える条件に使用してもよい。すなわちパラメータが一致した場合には、編集前の画情報を編集後の画情報に置き換え、一致しない場合には、別に編集画情報を記憶媒体４に保存するか、あるいは保存をしない。
【０１００】
また、画情報編集装置６０は、ユーザ情報記憶手段２６が記憶媒体４に記憶している特定の通信装置５０あるいはユーザの識別情報と利用状況のデータに基づいて、画情報編集装置６０の利用条件を変化させたり、あるいは特別なサービスを新たに提供することが出来る。
【０１０１】
例えば、画情報編集手段９の編集時間の延長（落書き機能やスタンプ機能を利用できる時間の延長等）、新しい編集機能の追加（新スタンプ、新フレーム、新落書き機能等の追加）、利用料金のディスカウント（減額）、ニュースや新しい情報の配信等が考えられる。
【０１０２】
また、画情報編集装置６０において、よく利用する設定状態やよく利用する機能を、ユーザあるいは通信装置５０識別情報と共に記憶しておき、画情報編集装置６０の利用時にその識別情報が検知された場合に記憶していた設定状態に設定したり、よく利用する機能を使い易いような表示メニューを設定することも考えられる。
【０１０３】
さて、画情報編集装置６０において、判断Ｓ２０９のＹｅｓ、または、処理Ｓ２００の後、つまり、画情報編集装置６０の利用が終了すると、画情報編集装置６０と通信装置５０利用料金精算処理を行う（処理Ｓ２１１、処理Ｓ１０９）。つまり、画情報編集装置６０の利用料金清算手段２９は、利用料金（編集装置を利用した時間、時間帯、曜日、利用した機能、ディスカウント情報に基づいた料金）に相当するプリペイドデータ（代替データ）を、通信装置５０の利用料金プリペイド手段２８にあらかじめ蓄積されていたプリペイドデータから差し引く。もちろん画情報編集装置６０にあらかじめ投入されていた現金から利用料金を差し引いて精算してもよい。
【０１０４】
このように、通信装置５０からの画情報を画情報編集装置６０において編集した後に得られる編集画情報を通信装置５０に戻せるようにすることで、通信装置５０のユーザにとっては、自分が手間をかけて編集した画情報を単にプリントアウトするだけでなく、デジタルデータとして手元に残すことができ、編集画情報の後の再利用を図ることができるようになる。
【０１０５】
図６に本発明の画情報編集装置の一実施例であるモバイル端末用印刷装置６０ａのブロック構成について示す。
【０１０６】
同図において、ＣＰＵ８１（中央処理装置）は装置全体を制御するものであり、その実行プログラムはＲＯＭ８２（リード・オンリー・メモリ）に記憶され、ＣＰＵ８１はその実行プログラムをＲＯＭ８２から読み出し、その実行プログラムに含まれる命令を逐次解釈して装置全体の制御を行うものである。ＲＡＭ８３（ランダム・アクセス・メモリ）はその制御に必要なワークエリアが形成されるともに、保存パラメータやそのほか制御に必要ないろいろなパラメータや管理情報等を記憶するものである。また、ＲＡＭ８３の一部記憶領域は、記憶媒体４として使用される。ＣＰＵ８１，ＲＯＭ８２、及び、ＲＡＭ８３は、制御手段を構成する。
【０１０７】
操作入力手段８４は装置を操作するためのキー入力を行うためのものであり、キースイッチ、キー入力検知部、キー入力を制御手段８０のＣＰＵ８１に知らせるキー入力報知部等から構成される。画像処理手段８５は、画情報に対して画像処理（密度変換、フィルタリング、最適化処理、拡大縮小、圧縮伸張等）を行う。画像処理後の画情報は、ＲＡＭ８３に記憶される。
【０１０８】
表示手段２４は画像処理手段８５によって画像処理された画像データを液晶画面等（プラズマディスプレイ、ＣＲＴ等）の表示部２５に表示するものである。また操作ガイダンス等を表示する。
【０１０９】
通信Ｉ／Ｆ手段群８は、通信を行うための複数種類の通信Ｉ／Ｆ手段８＿１ないし８＿ｎにより構成されている。具体的には、通信Ｉ／Ｆ手段群８を構成する各通信Ｉ／Ｆ手段は、前述した通信ケーブルＩ／Ｆ（通信装置のメーカによって数種類ある）、無線通信Ｉ／Ｆ、外部メモリＩ／Ｆ、通信ネットワークＩ／Ｆ等に相当する。
【０１１０】
通信Ｉ／Ｆ選択手段１４は、編集した画情報を元の通信装置に送信するために、あらかじめＲＡＭ８３に記憶していた、編集前の画情報を受信する時に使用した通信Ｉ／Ｆ（通信Ｉ／Ｆ手段８＿１ないし８＿ｎのうちの１つ）を使用して、編集した画情報を送信する。もちろん、編集されていない画情報を送信してもよいのは言うまでもない。
【０１１１】
記録手段１２は、画情報を紙等の媒体に印刷あるいは記録出力するものである。媒体としては通常の紙、剥離紙、シール、はがき、フィルム等がある。
【０１１２】
ユーザ情報記憶手段２６は、ＣＰＵ８１、ＲＯＭ８２、ＲＡＭ８３（若干のハードウェアが必要な場合もある）から構成される制御手段８０によっても実現可能なもので、編集前後の画情報のやりとり相手となる通信装置５０あるいはユーザ毎に利用状況のデータをＲＡＭ８３に記憶する。
【０１１３】
利用料金清算手段２８も制御手段８０によっても実現可能なもので、利用料金清算手段２８としての制御手段８０は通信Ｉ／Ｆ手段群８を構成するいずれかの通信Ｉ／Ｆ手段を介して通信装置５０と通信を行い、通信装置５０の利用料金プリペイド手段２７が記憶するプリペイドデータから利用料金データを減じる。
【０１１４】
この場合、利用料金を減じることが出来るように、認証データ（パスワード、認証ＩＤ等）を使用した認証作業を通信装置５０との間で行ってもよい。なお、ユーザ情報記憶手段２６や利用料金清算手段２８を制御手段８０によりソフトウェア的に実現するのではなく、専用のハードウェアや論理回路により構成するようにしてもよいのはいうまでもない。
【０１１５】
バーコードＢＣは、モバイル端末用印刷装置６０ａの通信アドレスの情報を内容とするバーコード画像であり、印刷装置６０ａを利用しようとする通信装置５０により読み取られることにより利用される。通信装置５０側では、バーコードＢＣを読み取って得た画情報からバーコードデータ、つまり、印刷装置６０ａの通信アドレスを取得する。それにより、通信装置５０のユーザは、自分が利用しようとする引率装置６０ａの通信アドレスを手入力指定する手間を省くことができる。
【０１１６】
以上の構成のモバイル端末用印刷装置６０ａの動作について図７に示すフローチャートを参照して説明する。
【０１１７】
同図において、モバイル端末用印刷装置６０ａは、バーコードＢＣを撮影するなどして得た自装置の通信アドレスに発呼してきた通信装置５０から画情報を受信し（処理Ｓ３０１）、その受信した画情報をＲＡＭ８３に保存する（処理Ｓ３０２）。
【０１１８】
通信Ｉ／Ｆ選択手段１４は、処理Ｓ３０１により画情報を受信した際に使用された通信Ｉ／Ｆ手段が通信Ｉ／Ｆ手段群８を構成する各通信Ｉ／Ｆ手段のうちのどれであったかをＲＡＭ８３に記憶する（処理Ｓ３０３）。
【０１１９】
また、印刷装置６０ａは、処理Ｓ３０１で画情報を受信した際に得られた送信元の通信装置５０またはユーザの識別情報をＲＡＭ８３に記憶する（処理Ｓ３０４）。また、その識別情報に基づいて操作状態を設定し（処理Ｓ３０５）、更に、過去の使用データに基づいて編集条件を変更した上で（処理Ｓ３０６）、受信した画情報の編集を画情報編集手段１０により行い（処理Ｓ３０７）、編集後の画情報をＲＡＭ８３に保存する（処理Ｓ３０８）。そして、編集画情報を記録手段１２により記録する（処理Ｓ３０９）。
【０１２０】
更に、処理Ｓ３０３で記憶していた、編集前の画情報を受信するに使用された通信Ｉ／Ｆ手段を通信Ｉ／Ｆ手段群８の中から選択し（処理Ｓ３１０）、その通信Ｉ／Ｆ手段を使用して編集後の画情報を、編集前の画情報の送信元の通信装置５０へ送信する（処理Ｓ３１１）。さらに、通信装置５０との間で、認証処理（処理Ｓ３１２）、利用料金精算処理（処理Ｓ３１３）を行い、更に、利用状況データを更新して（処理Ｓ３１４）、処理を終了する。なお、処理Ｓ３１４により更新されたデータは、処理Ｓ３０６により参照される。
【０１２１】
これにより、通信装置５０から受信した画情報を編集して得られた画情報（編集画情報）を印刷することができ、また、編集画情報を、編集前の画情報の送信元の通信装置５０に渡して再利用させることができる。
【０１２２】
図８に本発明の画情報編集装置の一実施例に係る画情報編集装置６０ｂのブロック構成について示す。同図に示す画情報編集装置６０ｂは、図６に示したモバイル端末用プリント装置６０ａに第２の撮影手段２９を構成として追加したものである。
【０１２３】
第２の撮影手段２９は、具体的には、カメラであり、被写体（撮影対象物）をデジタルの画情報に変換するものであり、撮像素子としてはＣＣＤ等が使用される。ＣＣＤは、光源の光を被写体に照射することにより被写体からの反射光である光信号を受光素子で受光し、それをアナログの電気信号に変換して出力する光電変換デバイスである。第２の撮影手段２９は、通信装置５０における撮影手段２により撮影された画情報を通信Ｉ／Ｆ手段群８を介して受信することにより取得する代わりに、編集対象の画情報を自前で取得するためのものである。
【０１２４】
画像処理手段８５は、図６に示したモバイル端末用印刷装置６０ａの画像処理手段８５の機能に加え、ＣＣＤが出力するアナログ電気信号を受信し、それをＡ／Ｄ変換することによりデジタルの画情報を得るものである。もちろんＡ／Ｄ変換は必須ではなく、アナログの画情報でもよい。その他のブロック構成については、図６に示したのモバイル端末用プリント装置６０ａを構成する同一符号のブロックと同一であるため重複する説明は省略する。
【０１２５】
以上の構成の画情報編集装置６０ｂの動作について図９に示すフローチャートを参照して説明する。
【０１２６】
同図において、画情報編集装置６０ｂは第２の撮影手段２９により被写体ＰＯを撮影し（処理Ｓ４０１）、その撮影して得られた画情報を、ＲＡＭ８３に保存する（処理Ｓ４０２）。
【０１２７】
そして、撮影した画情報の編集を画情報編集手段１０により行い（処理Ｓ４０３）、編集後の画情報をＲＡＭ８３に保存する（処理Ｓ４０４）。また、編集画情報を記録手段１２により記録する（処理Ｓ４０５）。
【０１２８】
更に、通信Ｉ／Ｆ手段群８を構成する各通信Ｉ／Ｆ手段のうちの、編集画情報の送信先の通信装置５０に対応するものを選択して（処理Ｓ４０６）、その選択した通信Ｉ／Ｆ手段を使用して編集後の画情報を、通信装置５０へ送信する（処理Ｓ４０７）。更に、通信装置５０との間で、認証処理（処理Ｓ４０８）、利用料金精算処理（処理Ｓ４０９）を行い、処理を終了する。
【０１２９】
これにより、自装置においして撮影して得られた画情報を編集して得られた画情報（編集画情報）を印刷することができ、また、編集画情報を、その編集画情報の作成作業を行ったユーザが所有する通信装置５０等に渡して再利用させることができる。
【０１３０】
図１０に、本発明の通信装置の一実施例に係るデジタルカメラ装置５０ａのブロック構成について示す。
【０１３１】
同図において、ＣＰＵ８１（中央処理装置）は装置全体を制御するものであり、その実行プログラムはＲＯＭ８２（リード・オンリー・メモリ）に記憶され、ＣＰＵ８１はその実行プログラムをＲＯＭ８２から読み出し、その実行プログラムに含まれる命令を逐次解釈して装置全体の制御を行うものである。ＲＡＭ８３（ランダム・アクセス・メモリ）はその制御に必要なワークエリアが形成されるともに、保存パラメータやそのほか制御に必要ないろいろなパラメータや管理情報等を記憶するものである。また、ＲＡＭの一部記憶領域は、記憶媒体４として使用される。
【０１３２】
操作入力手段８４は装置を操作するためのキー入力を行うためのものであり、キースイッチ、キー入力検知部、キー入力をＣＰＵ等の制御部に知らせるキー入力報知部等から構成される。画像処理回路は、画情報に対して画像処理（密度変換、フィルタリング、最適化処理、拡大縮小、圧縮伸張等）を行う。画像処理後の画情報は、ＲＡＭ８３に記憶される。
【０１３３】
画像表示手段８６は、撮影手段２によって出力された被写体の画情報または通信Ｉ／Ｆ手段（通信ケーブルＩ／Ｆ、無線通信Ｉ／Ｆ、外部メモリＩ／Ｆ、通信ネットワークＩ／Ｆ等）を使用して入力され、画像処理手段８５により処理された画情報等を表示するものであり、具体的には液晶表示装置等である。
【０１３４】
通信Ｉ／Ｆ手段６は、具体的には、前述した通信ケーブルＩ／Ｆ（通信装置のメーカによって数種類ある）、無線通信Ｉ／Ｆ、外部メモリＩ／Ｆ、通信ネットワークＩ／Ｆ等に相当する。
【０１３５】
編集画情報受信手段１４は、画情報編集装置６０側の編画情報送信手段１３が、画情報編集手段１０が編集した編集画情報または編集画情報保存手段１１が保存した編集画情報を、通信Ｉ／Ｆ手段群８を構成するいずれかの通信Ｉ／Ｆ手段を使用して送信してきた場合に、その編集画情報を受信してＲＡＭ８３に記憶するものである。
【０１３６】
バーコード読取手段７は、制御手段８０による実現も可能なものであり、あらかじめ画情報編集装置６０に貼り付けておいた画情報編集装置６０の通信アドレスをバーコード化したバーコード画像（バーコードＢＣ）を、撮影手段２によって撮影することによりバーコード画像を自装置のＲＡＭ８３に取り込み、ＣＰＵ８１はそのバーコード画像を解析してバーコードデータを抽出し、抽出されたバーコードデータをテキストデータに変換することにより、画情報編集装置６０の通信アドレスを取得する。
【０１３７】
通信アドレスとしてはＩＰアドレス、ＵＲＬ、ＵＲＩ、メールアドレス、電話番号、通信Ｉ／Ｆ専用の通信アドレス等がある。
【０１３８】
利用料金プリペイド手段２７は、制御手段８０による実現も可能なものであり、利用料金プリペイド手段２７は通信Ｉ／Ｆ手段６を介して画情報編集装置６０と通信を行い、あらかじめＲＡＭ８３に蓄積していたプリペイドデータから画情報編集装置６０の利用料金に相当する利用料金データを減じる。
【０１３９】
この場合、利用料金を減じることが出来るように、認証データ（パスワード、認証ＩＤ等）を使用した認証作業を行ってもよい。減じた利用料金データは画情報編集装置６０に保存され、その減じた利用料金データをデジタルカメラ装置５０ａが予めプリペイドした金融機関のサーバ装置に渡すことにより決済を行う。あるいは減じられた利用料金データと画情報編集装置６０を識別するための情報をデジタルカメラ装置５０ａがプリペイドした金融機関のサーバ装置に渡すことにより決済を行ってもよい。
【０１４０】
以上の構成のデジタルカメラ装置５０ａの動作について図１１に示すフローチャートを参照して説明する。
【０１４１】
同図において、デジタルカメラ装置５０ａは、撮影手段２により画情報を撮影し（処理Ｓ５０１）、その撮影により得られた画情報をＲＡＭ８３に保存する（処理Ｓ５０２）。そして、利用料金プリペイド手段２７によりプリペイドデータを蓄積する（処理Ｓ５０３）。
【０１４２】
また、画情報編集装置６０に貼られたバーコードＢＣの画情報を撮影し（処理Ｓ５０４）、そのバーコード画像から画情報編集装置６０の通信アドレスを取得する（処理Ｓ５０５）。
【０１４３】
そして、処理Ｓ５０５により取得した通信アドレス、つまり、画情報編集装置６０宛に処理Ｓ５０２で撮影した画情報を送信する（処理Ｓ５０６）。
【０１４４】
処理Ｓ５０６により送信した画情報は、デジタルカメラ装置５０ａの所有者による操作等により、画情報編集装置６０側で編集され、編集画情報として送信されてくるため、その編集画情報を受信し（処理Ｓ５０７）、ＲＡＭ８３に保存する（処理Ｓ５０８）。そして、認証処理（処理Ｓ５０９）、及び、利用料金精算処理を行い（処理Ｓ５１０）、処理を終了する。
【０１４５】
これにより、自装置で撮影した画情報を画情報編集装置６０に送信して画情報編集装置６０側で編集した画情報を自装置に戻して、後の再利用を図ることが可能となる。
【０１４６】
図１２に、本発明の通信装置の一実施例に係るデジタルカメラ付き携帯電話機５０ｂのブロック構成について示す。なお、以下の携帯電話機５０ｂの構成の説明において、図１０に示したデジタルカメラ装置５０ａを構成するブロックと同一符号を付したブロックについては既に説明済みのため重複する説明は省略する。
【０１４７】
マイク８７は、音声振動を電気信号に変換して通話回路に入力するものであり、スピーカは電気信号を音声振動に変換して出力するものである。通話回路８８はマイクから入力された音声信号を通信Ｉ／Ｆ手段６に送出し、通信Ｉ／Ｆ手段６から入力された音声信号をスピーカ８９に出力するものである。また、通話回路８８には、音声信号を増幅したりあるいは減衰することにより音量を調整したり、音声信号の周波数特性を変化させることにより音質を良くしたりする付加的な回路も含まれているのが一般的である。また送話器から受話器への音の回り込みを制御するいわゆる側音制御も通話回路８８にて行うのが一般的である。またこの通話回路８８においては、マイク８７から入力されたアナログの音声信号はデジタル音声信号に変換され、スピーカ８９へ出力するために入力されたデジタル音声信号はアナログ音声信号に変換される。
【０１４８】
通信Ｉ／Ｆ手段６は網を介して通信相手装置との間で、音声信号を送受信する。また画情報の送受信も行う。携帯電話の場合は基地局との間で電波を使用して通信を行う無線通信Ｉ／Ｆが通信Ｉ／Ｆ手段６として適用される。その他の適用可能な通信Ｉ／Ｆとしては通信ケーブルＩ／Ｆ、無線通信Ｉ／Ｆ（赤外線通信、ブルートゥース）、外部メモリＩ／Ｆがある。
【０１４９】
以上の構成のデジタルカメラ付き携帯電話機５０ｂにおける、画情報編集装置６０との画情報及び編集画情報のやりとりに関する動作については、既に説明した図１１に示したフローチャートの処理手順が適用される。
【０１５０】
これにより、デジタルカメラ付き携帯電話機５０ｂにおいて、自装置で撮影した画情報を画情報編集装置６０に送信して画情報編集装置６０側で編集した画情報を自装置に戻して、後の再利用を図ることが可能となる。
【０１５１】
図１３に、本発明の通信装置の一実施例に係るテレビ受信機付き携帯電話機５０ｃのブロック構成について示す。なお、以下の携帯電話機５０ｃの構成の説明において、図１０に示したデジタルカメラ装置５０ａや図１２に示したデジタルカメラ付き携帯電話機５０ｂを構成するブロックと同一符号を付したブロックについては既に説明済みのため重複する説明は省略する。
【０１５２】
図１３において、ＴＶ受信手段９０は、ＴＶ用アンテナ９０ａ、及び、内蔵の検波部並びにチューナ部から構成されるもので、ＴＶ放送用電波をアンテナ９０ａにより受信し、ＴＶ画像信号を出力する。ＴＶ受信手段９０からのＴＶ画像信号は画像処理手段８５に入力され、所定の画像処理が行われた後、デジタルの画情報としてフレームメモリ９１に蓄積され、フレームメモリ９１の蓄積された画情報は画像表示手段８６に出力され、その画像表示手段８６にＴＶ画像が表示される。
【０１５３】
フレームメモリ９１に蓄積されたデジタルの画情報は記憶媒体４としてのＲＡＭ８３に保存することにより、ＴＶ画像を撮影手段２で取得した画情報と同様に取り扱うことが出来る。
【０１５４】
以上の構成のテレビ受信器付き携帯電話機５０ｂにおける、画情報編集装置６０との画情報及び編集画情報のやりとりに関する動作については、既に説明した図１１に示したフローチャートの処理手順が適用される。ただし、図１１の処理Ｓ５０２において、画情報編集装置６０に送信するためにＲＡＭ８３に記憶する画情報としては、撮影手段２により撮影された画情報に限らず、ＴＶ受信手段９０により受信した画情報とすることもできる点が異なる。
【０１５５】
これにより、デジタルカメラ付き携帯電話機５０ｂにおいて、自装置で撮影した画情報のみならず、受信したテレビ画像をも、画情報編集装置６０に送信して画情報編集装置６０側で編集した画情報を自装置に戻して、後の再利用を図ることが可能となる。
【０１５６】
ところで、携帯電話機の場合、画像を表示する表示器としては液晶表示器等が使用されるが、携帯電話の画面として使用する場合には通常は縦長の画面表示で使用する（図１６参照）。しかしながらＴＶ画面として使用する場合には通常ＴＶ画面は横長なので横長で使用したほうが都合がよい。そこで、携帯電話として使用する場合は縦長で使用して、ＴＶ受信機として使用する場合には横長で使用するように、画面を９０度回転して使用することが行われている。
【０１５７】
一方、携帯電話の形態としては折りたたみ式（図１４（ａ）、（ｂ）参照）または回転式（図１５（ａ）、（ｂ）参照）の形態が多く使用されており、その場合表示部を開いて、あるいは回転させて、表示画面１０２を横長に見るためには、テンキー等の入力部１０１が配置されているグリップ１００を左手で握るか、右手で握るかによって、横長の画面が逆さまになるという課題がある。あるいは、折りたたみ式、回転式に関わらず、ボタンの位置などにより画面の上下を切り換えたいという要望も考えられる。
【０１５８】
そこで、どちらの手で握っても画面が逆さまにならないように、横長画面上下切替手段を備えることが考えられる。
【０１５９】
横長画面上下切替手段の具体的な実施例としては、画像処理手段８５がフレームメモリ９１へＴＶ画像信号を書き込む時に、上下逆さまになるように書き込むアドレスを制御する方法がある。
【０１６０】
あるいは画像処理手段８５がフレームメモリ９１からＴＶ画像信号を読み出す時に、読み出す順番を上下逆になるようにアドレス制御して読み出すことにより横長画面上下切替手段を実現する方法もある。
【０１６１】
画面の上下切替は操作入力部９４からの指示によって行う。縦長と横長の切替は縦長横長自動切替手段としての制御手段８０が自動で行う。縦長横長自動切替手段としての制御手段は、携帯電話機として使用されている場合には表示画面を縦長で使用し、ＴＶ受信機として使用している場合には横長で使用する。どちらで使用されているかどうかは、ＴＶ受信機として使用することを示す操作入力があったかどうかで判断する。このようにすることで、携帯電話機を右手あるいは左手で持った場合でも画面が逆さまになることを防ぐことが出来る。
【０１６２】
また、従来の携帯電話機では、発呼操作や着呼操作などにおいて操作入力と画面表示との関連が強いため、省エネ目的のために、操作入力が所定時間なかった場合に、表示画面あるいはバックライトを消すことを行っても支障は少ないが、ＴＶ画面を表示している場合にも表示画面あるいはバックライトが消えると不具合である。
【０１６３】
そこで、省エネ制御手段は、ＴＶ画面を表示している場合には、すなわちＴＶ受信機として使用している場合には、時間経過に関わらず表示画面あるいはバックライトを消さないようにするか、あるいは第１の所定時間の間に操作入力がない場合に表示画面あるいはバックライトを消す。ＴＶ受信機として使用していない場合には、第２の所定時間の操作入力がない場合に、表示画面あるいはバックライトを消すように制御する。通常第１の所定時間を第２の所定時間よりも長く設定しておく。これにより、携帯電話機をＴＶ受信機として使用している場合に省エネモードに移行するのを防ぐことが出来る。
【０１６４】
その省エネ制御手段は、制御手段８０（ＣＰＵ８１、ＲＯＭ８２、ＲＡＭ８３）、時計あるいはカウンター、表示ＯＦＦ回路またはバックライトＯＦＦ回路より構成される。
【０１６５】
図１７に、本発明の通信装置の一実施例に係るデジタルカメラ付きＩＰ電話機５０ｄのブロック構成について示す。
【０１６６】
なお、図１７において、図１２に示したデジタルカメラ付き携帯電話５０ｂとの違いはＩＰ手段９２を備えている点であり、その他の図１２と同一符号を付した構成については、重複説明を省略する。
【０１６７】
ＩＰ手段９２は通話回路から送られてきた音声信号を必要であれば符号化圧縮する。次に音声信号データを送信用のＩＰパケットに埋め込み、順次通信Ｉ／Ｆ手段６に送り出す。また通信Ｉ／Ｆ手段６から入力される受信用のＩＰパケットから音声信号データを取り出し、必要であれば復号伸張し、通話回路に送出する。また、ＩＰ手段９２は画情報を送信用のＩＰパケットに埋め込み、順次通信Ｉ／Ｆ手段６に送り出す。また通信Ｉ／Ｆ手段６から入力される受信用のＩＰパケットから画情報を取り出してＲＡＭ８３や、画像処理手段８２へ出力する。またＩＰ手段９２は呼制御を行うための制御用ＩＰパケットを組立て、順次通信Ｉ／Ｆ手段６に送り出す。さらに通信Ｉ／Ｆ手段６から入力される受信した制御用ＩＰパケットを分解する。このような制御用ＩＰパケットの送出、受信はＩＰ手段９２とは独立した別の手段で構成してもよい。ＩＰ手段９２の動作制御はＣＰＵ８１を含む制御手段８０で行う。通信Ｉ／Ｆ手段６はＩＰ手段９２から入力される送信用ＩＰパケットを、接続回線に対応した、プロトコルスタックにおける「データリンク層」及び「物理層」に対応する所定の下位のプロトコルのフレームに埋め込んで送出する一方、接続回線から入力される当該下位のプロトコルのフレームから取り出し受信したＩＰパケットをＩＰ手段９２に出力する。
【０１６８】
通信Ｉ／Ｆ手段６が接続される回線としてＮＴＴ等が供給している一般の電話網を使用する場合には、デジタル信号とアナログ信号を相互に変換するＸＤＳＬモデムが通信Ｉ／Ｆ手段６に含まれる。また接続回線がＬＡＮ等であれば回線接続Ｉ／ＦはＬＡＮ用のＩ／Ｆ（イーサネット、トークンリング、ＦＴＴＨ、無線ＬＡＮ等）である。また、通信Ｉ／Ｆ手段６としては、携帯電話、ＰＨＳ等の無線通信Ｉ／Ｆを適用するようにしてもよい。その他の通信Ｉ／Ｆとしては通信ケーブルＩ／Ｆ、無線通信Ｉ／Ｆ（赤外線通信、ブルートゥース）、外部メモリＩ／Ｆがある。
【０１６９】
以上の構成のデジタルカメラ付きＩＰ電話機５０ｄにおける、画情報編集装置６０との画情報及び編集画情報のやりとりに関する動作については、既に説明した図１１に示したフローチャートの処理手順が適用される。ただし、その処理手順における画情報編集装置６０とのやりとりは、ＩＰパケットにより、が行われる点が異なる。
【０１７０】
これにより、デジタルカメラ付きＩＰ電話機５０ｄにおいて、自装置で撮影した画情報のみならず、受信したテレビ画像をも、画情報編集装置６０に送信して画情報編集装置６０側で編集した画情報を自装置に戻して、後の再利用を図ることが可能となる。
【０１７１】
次に、図１７に示したデジタルカメラ付きＩＰ電話機５０ｄにも適用可能な、ＩＰ電話やＩＰテレビ電話で使用される代表的なプロトコルについて一通り説明する。携帯電話、ＰＨＳ、Ｅｍａｉｌ（ＳＭＴＰ、ＰＯＰ）、ＨＴＴＰのプロトコルについては標準化されているので説明は省略する。
【０１７２】
呼設定手段としての制御手段８０は、標準で規定されている標準用呼制御用プロトコル（ＳＩＰ，Ｈ．３２３、ＭＥＧＡＣＯ、ＨＴＴＰなど）を使用して呼設定を行い通信あるいは通話を可能にするが、ここではＳＩＰについて説明する。
【０１７３】
図１８に、ＳＩＰのプロトコルスタックを示す。なお、同図においては、「物理層」及び「データリンク層」について特に明示していないが、通信Ｉ／Ｆ手段６に接続される回線に応じて変わるものである。
【０１７４】
同図において、「物理層」及び「データリンク層」は、通信Ｉ／Ｆ手段６に相当するものであり、イーサネットを例にすると、「ネットワーク層」の「ＩＰ」プロトコルから渡された、ＭＡＣヘッダとＭＡＣデータとからなるＭＡＣパケットの先頭に、プリアンブル及びスタート・フレーム・デリミタを付加すると共にＭＡＣパケットの末尾にフレームチェックシーケンスＦＣＳを付加して、電気信号として通信Ｉ／Ｆ手段６に送出する一方、電気信号として受信した自装置のＭＡＣアドレス宛のＭＡＣパケットをデジタルデータとして取得して、「ネットワーク層」の「ＩＰ」プロトコルに渡す。
【０１７５】
「ネットワーク層」の「ＩＰ」プロトコルは、制御手段８０が実行する「ＩＰ」プロトコルのプログラム及びＩＰ手段９２に相当するものであり、「トランスポート層」の「ＴＣＰ」または「ＵＤＰ」プロトコルから渡された、ＴＣＰヘッダとＴＣＰデータとからなるＴＣＰパケット、または、ＵＤＰヘッダとＵＤＰデータとからなるＵＤＰパケットをＩＰデータの内容として埋め込むと共に、そのＩＰデータにＩＰヘッダを付加してＩＰパケットを構成するところまでは制御手段８０が行い、ＭＡＣデータの内容として埋め込み更に、ＭＡＣデータにＭＡＣヘッダを付加してＭＡＣパケットを構成する部分はＩＰ手段９２が行い、前述したように、「イーサネット」に渡す。一方、「イーサネット」から渡されたＭＡＣパケットを構成するＭＡＣデータからＩＰパケットを取り出し（ＩＰ手段９２が）、そのＩＰパケットを構成するＩＰデータからＴＣＰまたはＵＤＰのパケットを取り出して（制御手段８０が）、「トランスポート層」の「ＴＣＰ」または「ＵＤＰ」プロトコルに渡す。
【０１７６】
「トランスポート層」の「ＵＤＰ」プロトコルは、ＣＰＵ８１が実行する「ＵＤＰ」プロトコルのプログラムに相当するものであり、その上位の「セッション層」、「プレゼンテーション層」及び「アプリケーション層」を構成する、所定の送信元ポート番号とリンクされたアプリケーションプログラムから渡されたデータを、図１９に示すＵＤＰヘッダとＵＤＰデータとからなるＵＤＰパケットのＵＤＰデータとして埋め込んで、「ＩＰ」プロトコルに渡す一方、「ＩＰ」プロトコルから渡されたＩＰパケットからＵＤＰヘッダ及びＵＤＰデータからなるＵＤＰパケットを取り出して、ＵＤＰヘッダに記述されている宛先ポート番号に対応する上位の「アプリケーション」にＵＤＰデータを渡す。
【０１７７】
「トランスポート層」の「ＴＣＰ」プロトコルは、制御手段８０が実行する「ＴＣＰ」プロトコルのプログラムに相当するものであり、「セッション層」、「プレゼンテーション層」及び「アプリケーション層」を構成する、所定の送信元ポート番号とリンクされたアプリケーションプログラムから渡されたデータを、図１９に示すＴＣＰヘッダとＴＣＰデータとからなるＴＣＰパケットのＴＣＰデータとして埋め込んで、「ＩＰ」プロトコルに渡す一方、「ＩＰ」プロトコルから渡されたＩＰパケットからＴＣＰヘッダ及びＴＣＰデータからなるＴＣＰパケットを取り出して、ＴＣＰヘッダに記述されている宛先ポート番号に対応する上位の「アプリケーション」にＴＣＰデータを渡す。ＳＣＴＰ(Streaming Control Transimssion Protocol)についても、ＴＣＰと同様のやりとりが行われる。
【０１７８】
トランスポート層（ＵＤＰ、ＴＣＰまたはＳＣＴＰ）の上には、呼・セッション制御用プロトコルとしてＳＩＰが位置する。ＳＩＰにおいては、ＵＤＰ、ＴＣＰまたはＳＣＴＰのいずれのプロトコルも使用可能であるが、ここでは、ＵＤＰを使用するものとする。ＳＩＰ制御用データは、図１９に示すように、ＴＣＰパケットのＴＣＰデータとして埋め込まれるか、ＵＤＰパケットのＵＤＰデータとして埋め込まれた上で更にＩＰパケットのデータとして埋め込まれてやりとりされる。
【０１７９】
また、ＳＩＰメッセージを記述する制御情報記述プロトコルとしてはＳＤＰ（Session Description Protocol）が使用される。また、ＳＩＰによる呼接続確立後の動画／音声の送受信プロトコルとして、ＲＴＰ（Realtime Transport Protocol）が使用される。ここでは、ＲＴＰについても、遅延が少なくリアルタイム性に優れたＵＤＰをトランスポート層プロトコルして使用する。音声や画像のデータは、ＲＴＰパケットが付加されたＳＩＰデータとして、図１９に示すように、ＵＤＰパケットのＵＤＰデータ中に埋め込まれた上で更にＩＰパケットのデータとして埋め込まれてやりとりされる。
【０１８０】
ＲＴＰやＳＩＰ、ＳＤＰの上位には、アプリケーション層として通話管理や通話制御などの通話動作全体を制御するアプリケーション（処理手順）が位置し、その制御は制御手段により行われる。
【０１８１】
図２０にＩＰパケットのデータグラムについて示す。
【０１８２】
ＩＰデータグラム（パケット）は、「ＩＰヘッダ」が付加された「ＩＰデータ」として構成される。「ＩＰヘッダ」は、バージョン、ヘッダ長、サービスタイプ、トータル長、識別子（ＩＤ）、フラグ、フラグメント・オフセット、生存時間（ＴＴＬ）、プロトコルタイプ、ヘッダチェックサム、送信元アドレス、宛先アドレス、オプション、パディング、及び、データの各情報のための領域の集合として構成されている。
【０１８３】
プロトコルタイプは、ＩＰデータとして含まれるパケットのプロトコル種別を示す番号であり、例えば、６がＴＣＰ、１７がＵＤＰである。
【０１８４】
図２１に、ＵＤＰパケットのデータグラムについて示す。
【０１８５】
ＵＤＰデータグラム（パケット）は、「ＵＤＰヘッダ」が付加された「ＵＤＰデータ」として構成される。ＵＤＰヘッダには、１６ビットの「送信元ポート番号」及び１６ビットの「宛先ポート番号」が含まれる。それにより、ＩＰパケット中の送信元ＩＰアドレスや宛先ＩＰアドレスにより特定されるＩＰ端末内においてＵＤＰパケットの送信元または宛先のアプリケーションを区別することができる。
【０１８６】
図２２に、ＴＣＰパケットのデータグラムについて示す。
【０１８７】
ＴＣＰデータグラム（パケット）は、「ＴＣＰヘッダ」が付加された「ＴＣＰデータ」として構成される。ＴＣＰヘッダには、ＵＤＰパケットと同様に、１６ビットの「送信元ポート番号」及び１６ビットの「宛先ポート番号」が含まれる。それにより、ＩＰパケット中の送信元ＩＰアドレスや宛先ＩＰアドレスにより特定されるＩＰ端末内においてＴＣＰパケットの送信元または宛先のアプリケーションを区別することができる。
【０１８８】
図２３に、発呼装置と着呼装置との間で行われるＳＩＰによる一般的な通信シーケンスについて示す。
【０１８９】
同図において、発呼側から「INVITE」というリクエストメッセージを送出する（フェーズＦ１）。「INVITE」はセッションの起動信号であり、それには発呼側が受信可能なセッションの属性がＳＤＰ（制御情報記述）で示されている。具体的には発呼側の受信条件（コーデック、ポート番号等）と送信条件を提示するものである。
【０１９０】
着呼側はフェーズＦ１で、「INVITE」を受信すると、呼び出し状態になったことを通知するために「１８０ RINGING」を発呼側へ送信する（フェーズＦ２）。この１８０ RINGINGで着呼側の受信条件（コーデック、ポート番号等）と送信条件を提示してもよいが、通常は次の２００ OKで提示する。
【０１９１】
また、着呼側は、通話可能状態になったことを通知するために「２００OK」を発呼側へ送信する（フェーズＦ３）。その「２００ OK」には、着呼側が受信可能なセッションの属性がＳＤＰで示されている。また、着呼側は、その「２００ OK」で着呼側の受信条件（コーデック、ポート番号等）と送信条件を提示する。
【０１９２】
次に発呼側が「ACK」を着呼側へ送信し（フェーズＦ４）、これにより通信に利用可能な属性が発呼側と着呼側とで相互にネゴシエーションされる。本実施の形態では、便宜上ここまでを接続フェーズと定義している。
【０１９３】
次にＲＴＰパケットによるメディア（音声、画像、動画等）の転送が開始される（フェーズＦ５）。本実施の形態ではこのメディアの転送期間中を便宜上、データ送受信フェーズと定義している。
【０１９４】
通信を終了するときには止める側（この場合着呼側）が、「BYE」信号を送信することにより通信終了を要求し（フェーズＦ６）、それを受信した側（この場合発呼側）は、その応答である「２００ OK」信号を送信して通信を終了する（フェーズＦ７）。本実施の形態ではこのフェーズを便宜上、切断フェーズと定義している。なお、切断フェーズは、着呼装置からに限らず発呼装置から起動される場合もある。
【０１９５】
これらのプロトコルを使用して、図２４に示すように、Ｗｅｂサーバ手段９３を備えたＷｅｂサーバ機能付きの画情報編集装置６０ｃも考えられる。
【０１９６】
Ｗｅｂサーバ手段９３は記憶媒体４としてのＲＡＭ８３に複数のＭＬ（Ｍａｒｋｕｐ  Ｌａｎｇｕａｇｅ）ベースのファイル（ＸＭＬ，ＨＴＭＬ，ＳＧＭＬ，ＸＨＴＭＬ，ＣＨＴＭＬ，ＨＤＭＬ，ＤＨＴＭＬ等）を記憶しており、クライアントの要求に応じてファイルを送信するものである。
【０１９７】
ＩＰ手段９２は、図１７に示したデジタルカメラ付きＩＰ電話機５０ｄの説明において説明したＩＰ手段９２と同一構成である、ただ、通信Ｉ／Ｆ手段６ではなく、通信Ｉ／Ｆ手段群８を構成するいずれかの通信Ｉ／Ｆ手段とデータをやりとりする点が異なる。その他のブロックは、図７に示した画情報編集装置６０ｂの同一符号を付したブロックと同一であるため、重複する説明は省略する。
【０１９８】
発呼側の通信装置５０はＷｅｂサーバ機能付き画情報編集装置６０ｃに発呼を行い、呼設定（ＳＩＰの接続フェーズ：図２３参照）をした後に通信接続する。接続中（ＳＩＰのデータ送受信フェーズ：図２３参照）に、発呼側は着呼側に対して、ＨＴＴＰプロトコルを使用して、ＭＬベースのファイルの送受信を行う。発呼側の通信装置５０はＭＬベースのファイルを表示部２５に表示させるためのＷｅｂブラウザ手段を備えている。
【０１９９】
画情報編集装置６０ｃは、通信装置５０によってアップロードされたＭＬベースのファイルを記録用の画像データに変換する画像変換手段３１によって画像を変換し、それを記録手段１２で出力する。またＭＬベースのファイルに含まれている画像を指定して記録することもできる。
【０２００】
その場合、通信装置５０としては携帯電話機があり、基地局・端末間無線プロトコル上で呼設定プロトコル（ＰＰＰ等）とＨＴＴＰプロトコルが動作する。また携帯電話機が備えている赤外線Ｉ／Ｆ、ブルートゥースＩ／Ｆ、無線ＬＡＮＩ／Ｆあるいは専用Ｉ／Ｆのプロトコル上で呼設定プロトコルとＨＴＴＰプロトコルを動作させてもよい。
【０２０１】
画情報編集装置６０ｃの通信相手となる通信装置５０の、別の例としては、カメラを搭載した携帯電話（ＰＨＳ，ＩＰ電話、ＩＰテレビ電話等）が考えられ、カメラで撮影した静止画像あるいは動画像を所定の画像ファイル形式（ＪＰＥＧ、ＭＰＥＧ、ＴＩＦＦ、ＧＩＦ等）に変換するＭＬ変換手段でファイル変換を行い、その後ＭＬベースのファイルとしてメモリ等の記憶手段に記憶し、画情報編集装置６０ｃにファイルを送信する。あるいは、画像ファイルを、画情報編集装置６０ｃのＷｅｂサーバ手段９３とは別の、他のＷｅｂサーバ手段に送信し記録し、そのＵＲＩをＭＬベースのファイルに記載する間接ＭＬ変換手段を、画情報編集装置６０ｃの通信相手となる通信装置５０が持ってもよい。
【０２０２】
また通信装置５０は、ＨＴＴＰやＦＴＰのｇｅｔコマンド等のファイルを送信すべき命令を、画情報編集装置６０ｃから受信した場合にカメラでリアルタイムに画像を撮影して送信するコマンド変換手段を持つこともできる。
【０２０３】
また、通信装置５０のカメラで撮影した画像を、自装置が持つ画像処理手段によって画像処理（定型画像とのミックス、画像の集約、画像の分割、画像のエディット、画像の拡大縮小、画像と文字データとのミックス、その他の一般的な画像処理）した後に、ＭＬベースのファイルに変換して、画情報編集装置６０ｃに送信するようにしてもよい。
【０２０４】
以上の構成の画情報編集装置６０ｃの動作について図２５に示すフローチャートを参照して説明する。
【０２０５】
同図において、画情報編集装置６０ｃは、バーコードＢＣを撮影するなどして得た自装置の通信アドレスに発呼してきた通信装置５０からのＭＬベースのファイルをＷｅｂサーバとして受信し（処理Ｓ６０１）、その受信したＭＬファイルを、ＲＡＭ８３に保存する（処理Ｓ６０２）。そして、そのＭＬファイルを画情報変換手段３１により画情報に変換する（処理Ｓ６０３）。
【０２０６】
また、通信Ｉ／Ｆ選択手段１４は、処理Ｓ６０１により画情報を受信した際に使用された通信Ｉ／Ｆ手段が通信Ｉ／Ｆ手段群８を構成する各通信Ｉ／Ｆ手段のうちのどれであったかをＲＡＭ８３に記憶する（処理Ｓ６０４）。
【０２０７】
また、画情報編集装置６０ｃは、処理Ｓ３０１で画情報を受信した際に得られた送信元の通信装置５０またはユーザの識別情報をＲＡＭ８３に記憶する（処理Ｓ６０５）。また、その識別情報に基づいて操作状態を設定し（処理Ｓ６０６）、更に、過去の使用データに基づいて編集条件を変更した上で（処理Ｓ６０７）、受信した画情報の編集を画情報編集手段１０により行い（処理Ｓ６０８）、編集後の画情報をＲＡＭ８３に保存する（処理Ｓ６０９）。そして、編集画情報を記録手段１２により記録する（処理Ｓ６１０）。
【０２０８】
更に、処理Ｓ６０４で記憶していた、編集前の画情報の元となったＭＬファイルを受信するに使用された通信Ｉ／Ｆ手段を通信Ｉ／Ｆ手段群８の中から選択し（処理Ｓ６１１）、その通信Ｉ／Ｆ手段を使用して編集後の画情報を、編集前の画情報の送信元の通信装置５０へ送信する（処理Ｓ３１１）。さらに、通信装置５０との間で、認証処理（処理Ｓ３１２）、利用料金精算処理（処理Ｓ３１９）を行い、更に、利用状況データを更新して（処理Ｓ６１５）、処理を終了する。なお、処理Ｓ６１５により更新されたデータは、処理Ｓ６０７により参照される。
【０２０９】
これにより、通信装置５０からＭＬファイルの形式で受信して、そのＭＬファイルを変換して得た画情報を編集して得られた画情報（編集画情報）を印刷することができ、また、編集画情報を、編集前の画情報の元となったＭＬファイルの送信元の通信装置５０に渡して再利用させることができる。
【０２１０】
以上、画情報編集装置６０にＷｅｂサーバ手段９３を備えた実施例を説明してきたが、その逆の実施例として通信装置にＷｅｂサーバ手段９３を備えることも考えられる。
【０２１１】
通信装置５０をＷｅｂサーバとして使用するためには、通常の電話として使用する「電話モード」から「Ｗｅｂサーバモード」へ設定を変更する。「電話モード」は着呼に対して応答すると通常の電話として使用できるモードであり、「Ｗｅｂサーバモード」は着呼に対して応答するとその後はサーバモードとして動作するものである。通常、Ｗｅｂサーバモードの場合は着呼があると自動応答するが、ユーザによるマニュアル応答も可能である。
【０２１２】
記録手段１２を持つ発呼装置としての画情報編集装置６０は、Ｗｅｂサーバ手段９３を備えた通信装置５０、具体的には、携帯電話機に発呼し、呼設定を行い通信チャネルを確保し通信を開始する。この場合、パスワード等を使用して認証を行う認証手段を、各装置が備えていてもよい。
【０２１３】
発呼装置としての画情報編集装置６０は、ＨＴＴＰプロトコルにより携帯電話機の記憶媒体４に記憶されているＭＬベースのファイル、画像ファイルをリスト表示するファイルや、画像ファイル自体をダウンロードする。そして、Ｗｅｂブラウザプログラムを使用して表示部２５にダウンロードしたファイルや画像データを表示させる。
【０２１４】
そして、発呼装置上で、必要な画像処理（定型画像とのミックス、画像の集約、画像の分割、画像の編集、画像の拡大縮小、画像と文字データとのミックス、その他の一般的な画像処理）を行い、記憶媒体４に記憶する。また、選択された画像は記録対象の画像として、その記憶媒体４から読み出され、例えば紙の上に印刷されて出力される。また修正や編集された後の画像はＨＴＴＰ等でＷｅｂサーバ手段９３を備えた通信装置５０としての携帯電話機にアップロードすることで返送することもできる。その返送された編集後の画情報は、その携帯電話機において後に再利用することができる。
【０２１５】
またＷｅｂサーバ付きの携帯電話機の側から、他の端末装置（画像記録手段を持つ端末装置、他の携帯電話機等）に対して発呼することにより呼設定を行い、通信チャネルを確保してから、Ｗｅｂサーバ手段９３の機能を実行してＷｅｂサーバとしての動作を開始するようにしてもよい。
【０２１６】
従来の携帯電話機では、カメラで撮影した画像を一旦、別のサーバにメールで送信し、別の出力装置からそのサーバへアクセスし、データをダウンロードしてから印刷するという複雑な方法を使用していたが、本実施例のＷｅｂサーバ付き携帯電話機では、カメラで撮影した画像を直接出力装置に送信することにより、手間をかけずに簡単に出力装置から出力することができる。
【０２１７】
このように通信装置５０がＷｅｂサーバ手段９３を備えることにより、ＭＬベースのファイルのように一般的なファイルフォーマットを使用できるようになり、汎用性が増す。またクライアント装置はＷｅｂサーバ付きの通信装置５０にダイレクトに接続することが出来、所望のファイルを汎用のファイルフォーマットで入手することができる。
【０２１８】
また、図２６に本発明に係る画情報編集装置６０の一実施例に係るプリンタサーバ手段を備えた画像記録装置６０ｄのブロック構成について示す。
【０２１９】
同図において、画像記録装置６０ｄは、相手装置と通信チャネルを確保した後、相手装置からＭＬベースのファイルを転送されてきた場合（ＨＴＴＰプロトコルやＦＴＰプロトコルのｐｕｔコマンド等によるファイル転送）には、その転送コマンドを印刷命令と認識するコマンド変換手段９５を備える。また、前記受信したファイルを記録画像データに変換して、表示手段２４を介して表示部２５に表示したりするＭＬインタープリター手段９６を備える。また、記録画像を画像記録手段９４により、紙等の媒体に記録し出力するプリンターサーバ手段９７を備える。無線通信手段８５は、通信Ｉ／Ｆ手段６に相当するものであり、無線により、通信相手の通信装置５０と通信を行うものである。画情報編集手段１０、及び、制御手段８０は、図６に示したモバイル端末用印刷装置６０ａにおける同一符号が付されたブロックと同一構成である。
【０２２０】
それにより、画像記録手段を持つ端末装置を操作しなくても画像をプリントアウト出来るという効果がある。
【０２２１】
ＳＩＰの標準的なプロトコルについては前述したが（図２３参照）、
次に、本発明の通信モデルの別の実施例に係るプロトコルについて説明する。
【０２２２】
標準呼設定手段における、標準呼設定プロトコルとはＳＩＰ、Ｈ．３２３、ＨＴＴＰ、ＭＥＧＡＣＯ、ＰＰＰ等に代表されるように、その仕様が広く一般の使用者やメーカ等に開放されているものであるが、ローカル呼設定手段におけるローカル呼設定プロトコルは、その仕様は原則的には一般の使用者やメーカ等には非公開であり、それを開発あるいは使用するメーカあるいは、複数のメーカが集まって構成されたグループ内のみに公開されるものである。
【０２２３】
図２７に、発呼装置と着呼装置との間で行われるＳＩＰによるローカル（非標準）プロトコルによる通信シーケンスについて示す。
【０２２４】
なお、図２７に示すローカルな通信シーケンスを構成する各フェーズのやりとりのうち、図２３に示したＳＩＰ標準プロトコルを構成する各フェーズと同等のものには、同一のフェーズ番号を付している。また、図２７においては、標準プロトコル信号を大文字（例えば「INVITE」）で表し、それに相当するローカルプロトコル信号を小文字（例えば「invite」）で記述している。
【０２２５】
図２７に示すローカルな通信シーケンスでは、標準呼設定プロトコルのセッションの属性の他に（重複して持っていてもいいが）、独自のセッションの属性である受信条件（コーデック、ポート番号等）と送信条件と、さらに標準呼設定プロトコルが持っていない、装置に関わる独自の情報（装置が装備している機能、装置の状態を示す情報、相手装置の設定を変更する情報、相手装置の機能を実行する情報等）をＩＰパケットに挿入し、それを相手装置に送信するものである。
【０２２６】
つまり、先ず、発呼端末は発呼する際に自端末に備わっているプロトコルを調査し、最初に送出するプロトコルとして優先設定されているプロトコルで通信を開始するため（この例では標準プロトコルが設定されている）、まず発呼側は標準のプロトコルであるSIPの「INVITE」信号を着呼側へ送信する（フェーズＦ１）。
【０２２７】
また、そのすぐ後にローカルプロトコル信号の１つである「invite」信号を送信する（フェーズＦ１ａ）。このフェーズＦ１ａは、プロトコル切替手段あるいはマルチプロトコル手段に相当する。
【０２２８】
着呼側はフェーズＦ１及びＦ１ａで「INVITE」信号と「invite」信号の両方を受信し（マルチプロトコル手段）（順次メモリに蓄えておくことにより複数の制御信号を受信することが出来る）、「invite」信号を選択するとともに、呼び出し状態になったことを通知するために「１８０ ringing」を発呼側へ送信する（フェーズＦ２）（プロトコル選択手段）。その場合、例えば標準プロトコルを優先設定されている場合等にはINVITE信号のほうを選択してもよい。
【０２２９】
それ以後の動作は図１０のフェーズＦ４の「ＡＣＫ」及びフェーズＦ５の「ＢＹＥ」の各標準プロトコルがローカルプロトコル（「ａｃｋ」及び「ｂｙｅ」）に代わる以外は、同じである。
【０２３０】
その他の独自の受信条件としては、前記の他に、装備している通信プロトコルの種類、呼設定の方式に関係するもの、ネゴシエーションに関係するもの、端末の通信能力、データの圧縮方式、デジタル化方式、プロトコルの種類、それに使用するＩＰパケットの種類、ＩＰパケットの構造、ＩＰパケットの定義、再送処理方式、エラー処理方式、セキュリティ方式等、通信条件に関するあらゆるものが考えられる。また標準プロトコルの「INVITE」信号を送出する前に、すなわち最初からローカルプロトコルの「invite」信号を送信してもよい。
【０２３１】
また「invite」信号は接続フェーズまたはデータ送受信フェーズまたは切断フェーズの期間中のどこでも送信してもよい。例えば、データ送受信フェーズの場合には、ユーザが例えば音声の品質がよくないとか、画像の品質がよくない場合に、高品質な方式に切り換えたい場合に、例えば端末の入力手段から方式を切り替える操作を入力した場合に、「invite」信号を送出することが考えられる。
【０２３２】
着呼側は標準プロトコルである「INVITE」信号に対して「１８０ RINGING」信号または「２００ OK」信号を送信した場合、すなわち標準プロトコルで接続（ネゴシエーションが成立）した後でも、接続フェーズまたはデータ送受信フェーズまたは切断フェーズの期間中に「invite」信号を受信することが出来、その場合は再びネゴシエーションをやり直すことになる。
【０２３３】
装置に関わる独自の情報（装置が装備している機能、装置の状態を示す情報、相手装置の設定を変更する情報、相手装置の機能を実行する情報等）について具体的に説明する。
【０２３４】
装置が装備している機能に関する情報としては、例えば、Webブラウザ機能、ストリームデータ再生機能、テレビ電話機能、留守番電話機能、留守番録画機能、録音機能、録画機能、着信メモリー、リダイヤルメモリー、電話帳機能、発信元番号通知機能、発信者名称通知機能、着信拒否機能、着信メロディー変更機能、転送機能、キャッチホン機能等の各機能に関する情報がある。
【０２３５】
装置の状態を示す情報としては、例えば、留守番電話がセットされている情報、留守番録画がセットされている情報、装置に不具合があることを示す情報、装置が使用されていることを示す情報、装置のなんらかの機能がセットされていることを示す情報等がある。
【０２３６】
相手装置の設定を変更する情報としては、例えば、留守番電話をセットあるいは解除する命令、留守番録画をセットあるいは解除する命令、装置に備わっている機能が動作するようにセットあるいは解除する命令等がある。
【０２３７】
相手装置の機能を実行する情報としては、例えば、留守番電話に録音されている音声を再生させ送信させる命令、留守番録画に録画されている画像を再生させ送信させる命令、着信メロディの変更させる命令等がある。
【０２３８】
ローカル呼設定手段における、ローカルな通信シーケンスの実現形態としては、図１１に示したような、非標準のプロトコル信号を用いる方法の他に、標準呼設定手段における標準の通信シーケンスで使用される標準プロトコルのＴＣＰ・ＵＤＰ／ＩＰパケットに、ローカルプロトコルで使用する情報を含ませる方法がある。
【０２３９】
図２８（ａ）にその例を示す。
【０２４０】
同図においては、ＳＩＰ制御用のＵＤＰパケットのＳＩＰメッセージ部分に、ローカルな呼設定用の情報（ローカルプロトコル情報）を含ませている。ローカルプロトコル情報の挿入場所としては、データ部に限らず、ＩＰヘッダのオプションフィールド（図２０参照）であってもよい。
【０２４１】
標準のＳＩＰプロトコルのみにしか対応していない端末はローカル部分を無視するため、標準のＳＩＰで呼制御を行うが、ローカルプロトコルに対応している端末は、このローカル部分を解釈し、必要に応じてローカルプロトコルで呼制御を行うため、標準のセッションからローカルなセッションへの移行が可能である。
【０２４２】
また、図２８（ｂ）に別例を示す。
【０２４３】
同図おいては、ＳＩＰのデータ用パケットのＲＴＰヘッダ以下の音声、画像データを載せる部分に、ローカルな呼設定用の情報（ローカルプロトコル情報）を含ませている。ローカルプロトコル情報の挿入場所としては、データ部に限らず、ＩＰヘッダのオプションフィールド（図２０参照）であってもよい。
【０２４４】
標準のＳＩＰプロトコルのみにしか対応していない端末はローカル部分を無視するため、標準のＳＩＰで呼制御を行うが、ローカルプロトコルに対応している端末は、このローカル部分を解釈し、必要に応じてローカルプロトコルで呼制御を行うため、標準のセッションからローカルなセッションへの移行が可能である。
【０２４５】
このように独自のローカルプロトコルに対応している端末はＩＰパケットのどの部分にローカルプロトコル情報が載せられているのかは、あらかじめ認識しているので、ローカルプロトコルの搭載形態は任意に構成することが出来る。
【０２４６】
またＩＰ端末は発呼側および着呼側にもなりえるように、発呼側および着呼側で使用する両方のプロトコルを備えているのが一般的である。また、標準のプロトコルでセッションが開始されたのか、あるいは独自のプロトコルでセッションが開始されたのかを表示部に表示することができる。例えば「ＳＩＰ」「Ｈ．３２３」「独自方式」等の表示をする。ユーザはこれを見ることにより通信の状態あるいは使用できる機能等を知ることが出来る。また接続に使用したプロトコルによって使用できる機能等を表示することも出来る。また、発呼する場合、相手装置がどのプロトコルを装備しているか分からない場合には、発呼端末が装備している複数のプロトコルまたはすべてのプロトコルの「INVITE」または「invite」信号を順次送出することが出来る。
【０２４７】
着呼側はその複数のプロトコルのうちの１つを選択し、その選択したプロトコルに相当する応答信号を１つだけ返信することが出来る。または複数のプロトコルのうち複数のプロトコルを選択し、その選択した複数のプロトコルに相当する応答信号を複数返信することも出来る。この場合、発呼側は優先順位の高いプロトコルを選択することが出来る。
【０２４８】
このように、ローカルプロトコルに対応することにより、標準の呼制御用プロトコルに定義されている標準の通信方式以外の独自の通信あるは通話方式を使用することが出来るため、最適な通信ができる。
【０２４９】
また、ローカルプロトコル信号に、即時実行可能なバイナリーデータのプログラムや、コンパイルした後、または、インタプリタにより翻訳しつつ実行可能な、ソースプログラム等の、プログラム（例えばアプリケーションプログラム）を含ませて、相手装置に送信することも考えられる。
【０２５０】
この場合、そのローカルプロトコル信号を受信した装置（着呼装置）は、その受信したプロトコル信号に含まれているプログラムを検出した場合には、プロトコル信号から分離し、メモリ手段に記憶する。そして、場合によってはそのプログラムを起動して、ある作業を実行するか、あるいは相手装置からの次のプロトコル信号に含まれている命令を実行する。具体的な例を挙げるとinvite信号（フェーズＦ１ａ）のＳＩＰメッセージの中にプログラムを挿入して着呼装置に送信する。
【０２５１】
着呼側装置は受信したinvite信号（フェーズＦ１ａ）のＳＩＰメッセージを検査し、プログラムを検出するとそれをメモリ手段に記憶させる。次にそのプログラムを起動することによりプログラムを待機させる（待機させることにより素早く次の作業を実行できる）。次のack信号（フェーズＦ４ａ）のＳＩＰメッセージの含まれている命令情報を受信し、その命令をプログラムが実行する。
【０２５２】
逆に着呼側が１８０ ringing（フェーズＦ２）あるいは２００ ok信号（フェーズＦ３）にプログラムを挿入して発呼側に送信し、発呼側で受信したプログラムを実行してもよい。プログラムとしてＪＡＶＡ等に代表されるように実行環境に左右されないマルチプラットホーム型のプログラムが適しているが、それに限定されるものではない。
【０２５３】
このようなローカル呼設定手段を備えることにより、標準呼設定手段で使用出来る機能以外の機能を使用することが出来るため、利便性が向上する。またローカル呼設定手段はメーカ独自に作成し実装することができるため、さまざまな制約を受けることなく仕様を決定することが出来るという利点がある。
【０２５４】
したがって、ローカル呼設定手段は、同一のメーカの製品の間で使用されたり、同一のメーカではないが同一のグループ（例えば異なるメーカが集めって成立した通信グループなど）に所属するメーカの製品の間で使用されることになるが、ローカル呼設定手段の使用形態はそれに限定されるものではない（デファクトスタンダードのような使用の仕方もあり得る）。
【０２５５】
また、盗聴などのセキュリティ対策のために、ＩＰアドレスを定期的に変更するアドレス変更手段を持つことも考えられる。例を挙げると、ＩＰアドレスの割り当てを要求するＩＰアドレス要求手段と、ＩＰパケットを使用して通信を行うＩＰパケット通信手段とを備えたＩＰ端末装置において、あらかじめ定められた規則に従って、前記ＩＰアドレス要求手段が前記ＩＰパケット通信手段を使用して新たなＩＰアドレスの割り当てを要求するＩＰアドレス変更要求手段を備えたことを特徴とするＩＰ端末装置である。
【０２５６】
具体的には、ある一定の通信量（パケット量）を送受した場合に、変更を要求する。前の変更から一定時間経過したあとに要求する。ＩＰパケットの送受信がある時間以上途切れた時に、変更を要求する。通信相手以外のＩＰアドレスを持った装置からアクセスがあった場合に要求する。ＤＨＣＰサーバ装置にＩＰアドレス変更を要求する。自装置で持っている複数のＩＰアドレスを取り替える等である。
【０２５７】
このようにＩＰアドレスを変更することにより、盗聴やデータの改ざん等に対するセキュリティを向上させることが出来る。
【０２５８】
また、以上説明した実施例においては、ＩＰ電話を、その標準プロトコルとしてＳＩＰを例にとって記載しているが、その他に標準プロトコルとしてＨ．３２３、ＨＴＴＰ、ＭＥＧＡＣＯ等があり、また標準プロトコルではなく、その他のローカルのプロトコルでも本発明の実施は可能である。また端末装置としてはＩＰ電話以外にＩＰテレビ電話、ＩＰ携帯電話、ＩＰ携帯端末装置、インターネットファックス等に代表されるＩＰ端末装置に適用可能であり、その端末装置で使用される標準プロトコルあるいはローカルプロトコルにも適用できる。
【０２５９】
また、以上説明した実施例においては、通信装置の一例としてＩＰ電話、ＩＰテレビ電話を挙げたが、通信装置としてはその他に無線ＬＡＮを使用したＩＰ電話、ＩＰ端末装置、一般加入者電話機、ファクシミリ装置、通信機能付コンピュータ、携帯電話、ＰＨＳ、ＰＤＡ等の通信機能を備えた端末装置があり、それらの通信装置において使用できる通信プロトコルを使用して実施することも可能であるのはいうまでもない。それらの通信装置の構成は公知であるため、ブロック図による図示は省略するが、本発明の特徴に係る手段は前記実施例と同様に備えることが可能である。
【０２６０】
また以上説明した実施例の説明において、特にブロック図に図示していない「〜手段」は、専用ハードウェアで構成されているか、あるいはＣＰＵ，ＲＯＭ，ＲＡＭと若干のハードウェアで構成されているものである。また、以上説明した今までの実施例は適宜組み合わせ可能であり、１つの実施例の中で直接言及していない他の実施例も適用可能であることは言うまでもない。
【図面の簡単な説明】
【０２６１】
【図１】本発明の一実施例に係る画情報編集システムのブロック構成について示す図である。
【図２】図１と共に、本発明の一実施例に係る画情報編集システムのブロック構成について示す図である。
【図３】本発明の一実施例に係る画情報編集システムを構成する通信装置及び画情報編集装置について示す図である。
【図４】図３の画情報編集システムを構成する通信装置及び画情報編集装置における処理手順について示すフローチャートである。
【図５】図４と共に、図３の画情報編集システムを構成する通信装置及び画情報編集装置における処理手順について示すフローチャートである。
【図６】本発明の一実施例に係るモバイル端末用印刷装置のブロック構成について示す図である。
【図７】図６のモバイル端末用印刷装置における処理手順について示すフローチャートである。
【図８】本発明の一実施例に係る画情報編集装置のブロック構成について示す図である。
【図９】図８の画情報編集装置における処理手順について示すフローチャートである。
【図１０】本発明の一実施例に係るデジタルカメラ装置のブロック構成について示す図である。
【図１１】図１０のデジタルカメラ装置等における処理手順について示すフローチャートである。
【図１２】本発明の一実施例に係るデジタルカメラ付き携帯電話機のブロック構成について示す図である。
【図１３】本発明の一実施例に係るテレビ受信器付き携帯電話機のブロック構成について示す図である。
【図１４】テレビ受信器付き携帯電話機の模式的な外観を示す図である。
【図１５】テレビ受信器付き携帯電話機の模式的な外観を示す図１４とは別の図である。
【図１６】テレビ受信器付き携帯電話機の模式的な外観を示す図１４や図１５とは別の図である。
【図１７】本発明の一実施例に係るデジタルカメラ付きＩＰ電話機のブロック構成について示す図である。
【図１８】ＩＰ電話機におけるプロトコルスタックについて示す図である。
【図１９】ＳＩＰプロトコル関連のＩＰデータについて示す図である。
【図２０】ＩＰパケットのデータグラムについて示す図である。
【図２１】ＵＤＰパケットのデータグラムについて示す図である。
【図２２】ＴＣＰパケットのデータグラムについて示す図である。
【図２３】発呼装置と着呼装置との間で行われるＳＩＰによる通信シーケンス例について示す図である。
【図２４】本発明の一実施例に係るＷｅｂサーバ手段を備えた画情報編集装置について示す図である。
【図２５】図２４の画情報編集装置における処理手順について示すフローチャートである。
【図２６】本発明の一実施例に係るプリンタサーバ手段を備えた画像記録装置について示す図である。
【図２７】発呼装置と着呼装置との間で行われるＳＩＰによるローカル（非標準）プロトコルによる通信シーケンスについて示す図である。
【図２８】標準ＳＩＰプロトコルのＴＣＰ・ＵＤＰ／ＩＰパケットに、ローカルプロトコルで使用する情報を含ませる方法について示す図である。
【符号の説明】
【０２６２】
１  画情報編集システム
５０  通信装置
６０  画情報編集装置
【図１】
2005159788.tif 000003
【図２】
2005159788.tif 000004
【図３】
2005159788.tif 000005
【図４】
2005159788.tif 000006
【図５】
2005159788.tif 000007
【図６】
2005159788.tif 000008
【図７】
2005159788.tif 000009
【図８】
2005159788.tif 000010
【図９】
2005159788.tif 000011
【図１０】
2005159788.tif 000012
【図１１】
2005159788.tif 000013
【図１２】
2005159788.tif 000014
【図１３】
2005159788.tif 000015
【図１４】
2005159788.tif 000016
【図１５】
2005159788.tif 000017
【図１６】
2005159788.tif 000018
【図１７】
2005159788.tif 000019
【図１８】
2005159788.tif 000020
【図１９】
2005159788.tif 000021
【図２０】
2005159788.tif 000022
【図２１】
2005159788.tif 000023
【図２２】
2005159788.tif 000024
【図２３】
2005159788.tif 000025
【図２４】
2005159788.tif 000026
【図２５】
2005159788.tif 000027
【図２６】
2005159788.tif 000028
【図２７】
2005159788.tif 000029
【図２８】
2005159788.tif 000030